(57)【要約】ピアツーピア（Ｐ２Ｐ）通信を確立し、維持するための技術が説明される。ある態様では、ネットワーク支援を受けて、免許不要スペクトル上でＰ２Ｐ通信が確立され、維持されることができる。一設計では、ユーザ機器（ＵＥ）は、ワイドエリアネットワーク（ＷＡＮ）に対して認可されていない第１の周波数帯域で少なくとも一つの他のＵＥとのＰ２Ｐ通信を確立するために、上記ＷＡＮと通信することができる。例えば、上記ＵＥは、Ｐ２Ｐ通信用に上記第１の周波数帯域内の少なくとも一つの周波数チャンネルの割当てを受信することができる。そして、上記ＵＥは、上記少なくとも一つの周波数チャンネルで、他のＵＥ（複数可）とピアツーピア通信することができる。ＵＥはまた、上記他のＵＥ（複数可）とのＰ２Ｐ通信を維持するために、例えば必要に応じて他の周波数チャンネルに切り替えるために、上記ＷＡＮと通信することもできる。
2013523018.tif 000002
【特許請求の範囲】
【請求項１】
無線通信のための方法であって、
第１のユーザ機器（ＵＥ）によって、ワイドエリアネットワーク（ＷＡＮ）に対し認可されていない第１の周波数帯域で、少なくとも一つの他のＵＥとのピアツーピア（Ｐ２Ｐ）通信を確立するために、前記ＷＡＮと通信すること、及び、
前記第１のＵＥによって、前記第１の周波数帯域で、前記少なくとも一つの他のＵＥとピアツーピアを通信すること、
を備える、無線通信のための方法。
【請求項２】
前記少なくとも一つの他のＵＥとのＰ２Ｐ通信を維持するために、前記ＷＡＮとの通信すること、
を更に備える、請求項１の方法。
【請求項３】
前記ＷＡＮと前記通信することは、前記第１のＵＥのサービング基地局と通信することを備える、請求項１の方法。
【請求項４】
前記ＷＡＮと前記通信することは、前記第１のＵＥによって第２の周波数帯域で前記ＷＡＮと通信することを備え、及び、前記ＷＡＮは、前記第２の周波数帯域で認可されている、請求項１の方法。
【請求項５】
前記ＷＡＮと前記通信することは、
前記ＷＡＮへ前記第１のＵＥからＰ２Ｐ通信の要求を送信すること、及び、
前記第１のＵＥによってＰ２Ｐ通信に使用するための前記第１の周波数帯域内の少なくとも一つの周波数チャンネルを前記ＷＡＮから受信すること、
を備える、請求項１の方法。
【請求項６】
前記第１の周波数帯域の前記少なくとも一つの認可ユーザによる一つ又は複数の周波数チャンネルの使用を検出するために、前記第１のＵＥによる前記第１の周波数帯域内の前記一つ又は複数の周波数チャンネルをセンシングすること、
上記第１のＵＥから上記ＷＡＮへの結果を感知することを送ること；前記ＷＡＮへ前記第１のＵＥから複数センシング結果を送信すること、及び、
前記第１の周波数帯域内であって且つ前記複数センシング結果に基づいて選択される、Ｐ２Ｐ通信用に前記第１のＵＥに割り当てられた少なくとも一つの周波数チャンネルを、前記ＷＡＮから受信すること、
を更に備える、請求項１の方法。
【請求項７】
前記第１のＵＥによってセンシングされた一つ又は複数の周波数チャンネルのセットを前記ＷＡＮから受信することであって、前記第１のＵＥによってセンシングされた前記一つ又は複数の周波数チャンネルはセンシングするために複数周波数チャンネルの前記セットに含まれる、受信すること、
を更に備える、請求項６の方法。
【請求項８】
前記第１の周波数帯域内で且つ前記第１のＵＥによるＰ２Ｐ通信用に使用可能な複数周波数チャンネルのリストを、前記ＷＡＮから受信すること、
複数周波数チャンネルの前記リスト内の前記第１の周波数チャンネルで、前記少なくとも一つの他のＵＥとピアツーピア通信すること、
前記第１の周波数チャンネル上のパフォーマンス低下又は前記第１の周波数帯域の少なくとも一つの認可ユーザによる前記第１の周波数チャンネルの使用を検出すること、及び、
複数周波数チャンネルの前記リスト内の第２の周波数チャンネルへ前記第１の周波数チャンネルからハンドオーバを行うこと、
を更に備える、請求項１の方法。
【請求項９】
前記第２の周波数チャンネルへの前記第１の周波数チャンネルからのハンドオーバの指示を前記ＷＡＮへ送信すること、及び、
前記第１の周波数帯域内で且つ前記第１のＵＥによるＰ２Ｐ通信用に使用可能な複数周波数チャンネルの更新されたリストを前記ＷＡＮから受信すること、
を更に備える、請求項８の方法。
【請求項１０】
前記ＷＡＮへＰ２Ｐ通信障害の通知を送信すること、
前記ＷＡＮからＰ２Ｐ通信を終了させる指示を受信すること、及び、
前記ＷＡＮからの前記指示に応じてＰ２Ｐ通信を終了すること、
を更に備える、請求項１の方法。
【請求項１１】
前記第１の周波数帯域でＰ２Ｐ通信障害を検出すること、及び、
Ｐ２Ｐ通信障害の検出に応答して、前記ＷＡＮを介した通信にＰ２Ｐ通信から切り替えること、
を更に備える、請求項１の方法。
【請求項１２】
前記ＷＡＮへＰ２Ｐ通信障害の通知を送信すること、
第２の周波数帯域で認可されている前記ＷＡＮから前記第２の周波数帯域でＰ２Ｐ通信を継続する指示を受信すること、及び、
前記ＷＡＮからの前記指示に応じて、前記第２の周波数帯域でＰ２Ｐ通信を継続すること、
を更に備える、請求項１の方法。
【請求項１３】
前記ＷＡＮが認可されている第２の周波数帯域で、前記少なくとも一つの他のＵＥとピアツーピアを通信すること、
を更に備える、請求項１の方法。
【請求項１４】
前記第２の周波数帯域でのＰ２Ｐ通信は、前記第１の周波数帯域でのＰ２Ｐ通信よりも信頼性は高いが、より低い容量を持つ、請求項１３の方法。
【請求項１５】
前記第１の周波数帯域は、テレビホワイトスペーススペクトルに対応する、請求項１の方法。
【請求項１６】
無線通信のための装置であって、
第１のユーザ機器（ＵＥ）によって、ワイドエリアネットワーク（ＷＡＮ）に対し認可されていない第１の周波数帯域で、少なくとも一つの他のＵＥとのピアツーピア（Ｐ２Ｐ）通信を確立するために、前記ＷＡＮと通信するための手段、及び、
前記第１のＵＥによって、前記第１の周波数帯域で、前記少なくとも一つの他のＵＥとピアツーピアを通信するための手段、
を備える、無線通信のための装置。
【請求項１７】
前記少なくとも一つの他のＵＥとのＰ２Ｐ通信を維持するために、前記ＷＡＮとの通信するための手段、
を更に備える、請求項１６の装置。
【請求項１８】
前記ＷＡＮと通信するための前記手段は、
前記ＷＡＮへ前記第１のＵＥからＰ２Ｐ通信の要求を送信するための手段、及び、
前記第１のＵＥによってＰ２Ｐ通信に使用するための前記第１の周波数帯域内の少なくとも一つの周波数チャンネルを前記ＷＡＮから受信するための手段、
を備える、請求項１６の装置。
【請求項１９】
前記第１の周波数帯域内で且つ前記第１のＵＥによるＰ２Ｐ通信用に使用可能な複数周波数チャンネルのリストを、前記ＷＡＮから受信するための手段、
複数周波数チャンネルの前記リスト内の前記第１の周波数チャンネルで、前記少なくとも一つの他のＵＥとピアツーピア通信するための手段、
前記第１の周波数チャンネル上のパフォーマンス低下又は前記第１の周波数帯域の少なくとも一つの認可ユーザによる前記第１の周波数チャンネルの使用を検出するための手段、及び、
複数周波数チャンネルの前記リスト内の第２の周波数チャンネルへ前記第１の周波数チャンネルからハンドオーバを行うための手段、
を更に備える、請求項１６の装置。
【請求項２０】
前記ＷＡＮが認可されている第２の周波数帯域で、前記少なくとも一つの他のＵＥとピアツーピアを通信するための手段、
を更に備える、請求項１６の装置。
【請求項２１】
無線通信のための装置であって、
第１のユーザ機器（ＵＥ）によって、ワイドエリアネットワーク（ＷＡＮ）に対し認可されていない第１の周波数帯域で、少なくとも一つの他のＵＥとのピアツーピア（Ｐ２Ｐ）通信を確立するために、前記ＷＡＮと通信し、且つ、前記第１のＵＥによって、前記第１の周波数帯域で、前記少なくとも一つの他のＵＥとピアツーピアを通信する、ように構成された、少なくとも一つのプロセッサ、
を備える、無線通信のための装置。
【請求項２２】
前記少なくとも一つのプロセッサは、前記少なくとも一つの他のＵＥとのＰ２Ｐ通信を維持するために、前記ＷＡＮとの通信する、ように構成される、請求項２１の装置。
【請求項２３】
前記少なくとも一つのプロセッサは、前記ＷＡＮへ前記第１のＵＥからＰ２Ｐ通信の要求を送信し、且つ、前記第１のＵＥによってＰ２Ｐ通信に使用するための前記第１の周波数帯域内の少なくとも一つの周波数チャンネルを前記ＷＡＮから受信する、ように構成される、請求項２１の装置。
【請求項２４】
前記少なくとも一つのプロセッサは、前記第１の周波数帯域内で且つ前記第１のＵＥによるＰ２Ｐ通信用に使用可能な複数周波数チャンネルのリストを、前記ＷＡＮから受信し、複数周波数チャンネルの前記リスト内の前記第１の周波数チャンネルで、前記少なくとも一つの他のＵＥとピアツーピア通信し、前記第１の周波数チャンネル上のパフォーマンス低下又は前記第１の周波数帯域の少なくとも一つの認可ユーザによる前記第１の周波数チャンネルの使用を検出し、且つ、複数周波数チャンネルの前記リスト内の第２の周波数チャンネルへ前記第１の周波数チャンネルからハンドオーバを行う、ように構成される、請求項２１の装置。
【請求項２５】
前記少なくとも一つのプロセッサは、前記ＷＡＮが認可されている第２の周波数帯域で、前記少なくとも一つの他のＵＥとピアツーピアを通信するように構成される、請求項２１の装置。
【請求項２６】
コンピュータプログラム製品であって、
少なくとも一つのプロセッサに、第１のユーザ機器（ＵＥ）によって、ワイドエリアネットワーク（ＷＡＮ）に対し認可されていない第１の周波数帯域で、少なくとも一つの他のＵＥとのピアツーピア（Ｐ２Ｐ）通信を確立するために、前記ＷＡＮと通信させるためのコード、及び、
前記少なくとも一つのプロセッサに、前記第１のＵＥによって、前記第１の周波数帯域で、前記少なくとも一つの他のＵＥとピアツーピアを通信させるためのコード、
を備える、非一時的なコンピュータ可読媒体、
を備える、コンピュータプログラム製品。
【請求項２７】
無線通信のための方法であって、
第１のユーザ機器（ＵＥ）によって、ワイドエリアネットワーク（ＷＡＮ）に対し認可されていない周波数帯域内の少なくとも一つの周波数チャンネルで、少なくとも一つの他のＵＥとピアツーピア（Ｐ２Ｐ）通信すること、
前記周波数帯域の少なくとも一つの認可ユーザによる前記少なくとも一つの周波数チャンネルの使用を検出するために、前記第１のＵＥによって、前記少なくとも一つの周波数チャンネルを監視すること、及び、
前記少なくとも一つの認可ユーザによる前記少なくとも一つの周波数チャンネルの使用が検出されたとき、前記第１のＵＥによる前記少なくとも一つの周波数チャンネルでのＰ２Ｐ通信を終了すること、
を備える、無線通信のための方法。
【請求項２８】
前記一つ又は複数の周波数チャンネルの使用を検出するために、前記第１のＵＥによって、前記周波数帯域内の一つ又は複数の周波数チャンネルをセンシングすること、及び、
前記ＷＡＮへ前記第１のＵＥから複数センシング結果を送信すること、
を更に備え、
前記少なくとも一つの周波数チャンネルは、前記第１のＵＥからの前記複数センシング結果に基づいて選択される、
請求項２７の方法。
【請求項２９】
前記少なくとも一つの周波数チャンネルを前記監視することは、前記少なくとも一つの認可ユーザによる前記少なくとも一つの周波数チャンネルの使用を検出するために、前記周波数帯域の前記少なくとも一つの認可ユーザによって送信された少なくとも一つの信号の少なくとも一つの特性をセンシングすることを備える、請求項２７の方法。
【請求項３０】
前記少なくとも一つの周波数チャンネルを前記監視することは、Ｐ２Ｐ通信が係属中の間、特定の期間の各時間間隔で前記第１のＵＥによって、定期的に前記少なくとも一つの周波数チャンネルをセンシングすることを備える、請求項２７の方法。
【請求項３１】
前記少なくとも一つの認可ユーザによる前記少なくとも一つの周波数チャンネルの使用が検出されたとき、または、パフォーマンスの低下が前記少なくとも一つの周波数で検出されたとき、前記周波数帯域内の前記少なくとも一つの他の周波数チャンネルへの前記少なくとも一つの周波数チャンネルからのハンドオーバを行うこと、
を更に備える、請求項２７の方法。
【請求項３２】
前記少なくとも一つの認可ユーザによる前記少なくとも一つの周波数チャンネルの使用が検出されたとき、または、パフォーマンスの低下が前記少なくとも一つの周波数チャンネルで検出されたとき、前記ＷＡＮを介した通信に前記Ｐ２Ｐ通信から切り替えること、
を更に備える、請求項２７の方法。
【請求項３３】
無線通信のための装置であって、
第１のユーザ機器（ＵＥ）によって、ワイドエリアネットワーク（ＷＡＮ）に対し認可されていない周波数帯域内の少なくとも一つの周波数チャンネルで、少なくとも一つの他のＵＥとピアツーピア（Ｐ２Ｐ）通信するための手段、
前記周波数帯域の少なくとも一つの認可ユーザによる前記少なくとも一つの周波数チャンネルの使用を検出するために、前記第１のＵＥによって、前記少なくとも一つの周波数チャンネルを監視するための手段、及び、
前記少なくとも一つの認可ユーザによる前記少なくとも一つの周波数チャンネルの使用が検出されたとき、前記第１のＵＥによる前記少なくとも一つの周波数チャンネルでのＰ２Ｐ通信を終了するための手段、
を備える、無線通信のための装置。
【請求項３４】
前記一つ又は複数の周波数チャンネルの使用を検出するために、前記第１のＵＥによって、前記周波数帯域内の一つ又は複数の周波数チャンネルをセンシングするための手段、及び、
前記ＷＡＮへ前記第１のＵＥから複数センシング結果を送信するための手段、
を更に備え、
前記少なくとも一つの周波数チャンネルは、前記第１のＵＥからの前記複数センシング結果に基づいて選択される、
請求項３３の装置。
【請求項３５】
前記少なくとも一つの認可ユーザによる前記少なくとも一つの周波数チャンネルの使用が検出されたとき、または、パフォーマンスの低下が前記少なくとも一つの周波数で検出されたとき、前記周波数帯域内の前記少なくとも一つの他の周波数チャンネルへの前記少なくとも一つの周波数チャンネルからのハンドオーバを行うための手段、
を更に備える、請求項３３の装置。
【請求項３６】
前記少なくとも一つの認可ユーザによる前記少なくとも一つの周波数チャンネルの使用が検出されたとき、または、パフォーマンスの低下が前記少なくとも一つの周波数チャンネルで検出されたとき、前記ＷＡＮを介した通信に前記Ｐ２Ｐ通信から切り替えるための手段、
を更に備える、請求項３３の装置。
【請求項３７】
無線通信のための装置であって、
第１のユーザ機器（ＵＥ）によって、ワイドエリアネットワーク（ＷＡＮ）に対し認可されていない周波数帯域内の少なくとも一つの周波数チャンネルで、少なくとも一つの他のＵＥとピアツーピア（Ｐ２Ｐ）通信し、前記周波数帯域の少なくとも一つの認可ユーザによる前記少なくとも一つの周波数チャンネルの使用を検出するために、前記第１のＵＥによって、前記少なくとも一つの周波数チャンネルを監視し、且つ、前記少なくとも一つの認可ユーザによる前記少なくとも一つの周波数チャンネルの使用が検出されたとき、前記第１のＵＥによる前記少なくとも一つの周波数チャンネルでのＰ２Ｐ通信を終了する、ように構成された、少なくとも一つのプロセッサ、
を備える、無線通信のための装置。
【請求項３８】
前記少なくとも一つのプロセッサは、前記一つ又は複数の周波数チャンネルの使用を検出するために、前記第１のＵＥによって、前記周波数帯域内の一つ又は複数の周波数チャンネルをセンシングし、且つ、前記ＷＡＮへ前記第１のＵＥから複数センシング結果を送信するように構成され、及び、前記少なくとも一つの周波数チャンネルは、前記第１のＵＥからの前記複数センシング結果に基づいて選択される、請求項３７の装置。
【請求項３９】
前記少なくとも一つのプロセッサは、前記少なくとも一つの認可ユーザによる前記少なくとも一つの周波数チャンネルの使用が検出されたとき、または、パフォーマンスの低下が前記少なくとも一つの周波数で検出されたとき、前記周波数帯域内の前記少なくとも一つの他の周波数チャンネルへの前記少なくとも一つの周波数チャンネルからのハンドオーバを行うように構成される、請求項３７の装置。
【請求項４０】
前記少なくとも一つのプロセッサは、前記少なくとも一つの認可ユーザによる前記少なくとも一つの周波数チャンネルの使用が検出されたとき、または、パフォーマンスの低下が前記少なくとも一つの周波数チャンネルで検出されたとき、前記ＷＡＮを介した通信に前記Ｐ２Ｐ通信から切り替えるように構成される、請求項３７の装置。
【請求項４１】
コンピュータプログラム製品であって、
少なくとも一つのコンピュータに、第１のユーザ機器（ＵＥ）によって、ワイドエリアネットワーク（ＷＡＮ）に対し認可されていない周波数帯域内の少なくとも一つの周波数チャンネルで、少なくとも一つの他のＵＥとピアツーピア（Ｐ２Ｐ）通信させるためのコード、
前記少なくとも一つのプロセッサに、前記周波数帯域の少なくとも一つの認可ユーザによる前記少なくとも一つの周波数チャンネルの使用を検出するために、前記第１のＵＥによって、前記少なくとも一つの周波数チャンネルを監視させるためのコード、及び、
前記少なくとも一つのプロセッサに、前記少なくとも一つの認可ユーザによる前記少なくとも一つの周波数チャンネルの使用が検出されたとき、前記第１のＵＥによる前記少なくとも一つの周波数チャンネルでのＰ２Ｐ通信を終了させるためのコード、
を備える、非一時的なコンピュータ可読媒体、
を備える、コンピュータプログラム製品。
【請求項４２】
無線通信のための方法であって、
ワイドエリアネットワーク（ＷＡＮ）内のネットワークエンティティによって、前記ＷＡＮに対し認可されていない第１の周波数帯域で第１のユーザ機器（ＵＥ）と少なくとも一つの他のＵＥとの間のピアツーピア（Ｐ２Ｐ）通信を確立するために、前記第１のＵＥと通信すること、及び、
前記ネットワークエンティティによって、前記第１のＵＥと前記少なくとも一つの他のＵＥとの間のＰ２Ｐ通信を維持するために、前記第１のＵＥと通信すること、
を備える、無線通信のための方法。
【請求項４３】
前記ネットワークエンティティは、前記第１のＵＥのサービング基地局である、請求項４２の方法。
【請求項４４】
前記ネットワークエンティティは、前記ＷＡＮが認可されている第２の周波数帯域で、前記第１のＵＥと通信する、請求項４２の方法。
【請求項４５】
前記Ｐ２Ｐ通信を確立するために前記第１のＵＥと前記通信することは、
前記第１のＵＥからのＰ２Ｐ通信の要求を受信すること、及び、
前記第１のＵＥによるＰ２Ｐ通信用に使用のために利用可能である前記少なくとも一つの周波数チャンネルを、前記第１のＵＥへ、前記第１の周波数帯域内の少なくとも一つの周波数チャンネルで送信すること、
を備える、請求項４２の方法。
【請求項４６】
前記第１の周波数帯域の認可ユーザによって使用されていない前記第１の周波数帯域内の複数周波数チャンネルの中からＰ２Ｐ通信用に前記第１のＵＥに割り当てるために、少なくとも一つの周波数チャンネルを選択すること、
を更に備える、請求項４２の方法。
【請求項４７】
少なくとも一つの周波数チャンネルを前記選択することは、前記第１の周波数帯域の複数免許不要ユーザからの前記少なくとも一つの周波数チャンネル上の干渉、Ｐ２Ｐ通信用の前記少なくとも一つの周波数チャンネルに割り当てられた他の複数ＵＥからの前記少なくとも一つの周波数チャンネル上の干渉、又は、前記第１のＵＥによって推定された前記少なくとも一つの周波数チャンネルのチャンネル品質、又は、前記第１のＵＥの複数容量、又は、それらの組み合わせ、にさらに基づいて、前記少なくとも一つの周波数チャンネルを選択することを備える、請求項４６の方法。
【請求項４８】
前記第１のＵＥから前記第１の周波数帯域内の一つ又は複数の周波数チャンネルのための複数センシング結果を受信すること、及び、
前記第１のＵＥからの前記複数センシング結果に基づいて、Ｐ２Ｐ通信用に前記第１のＵＥに割り当てるために、前記第１の周波数帯域内の少なくとも一つの周波数チャンネルを選択すること、
を更に備える、請求項４２の方法。
【請求項４９】
前記第１のＵＥによってセンシングされた一つ又は複数の周波数チャンネルを含む、前記第１のＵＥによってセンシングされるべき複数周波数チャンネルのセットを、送信すること、
を更に備える、請求項４８の方法。
【請求項５０】
Ｐ２Ｐ通信を確立するために前記第１のＵＥと前記通信することは、前記第１の周波数帯域内で且つ前記第１のＵＥによるＰ２Ｐ通信用に利用可能な複数周波数チャンネルの第１のリストを送信することを備え、及び、前記第１のＵＥは、前記第１のリスト内の第１の周波数チャンネルで前記少なくとも一つの他のＵＥとピアツーピア通信を行う、請求項４２の方法。
【請求項５１】
Ｐ２Ｐ通信を維持するために、前記第１のＵＥと前記通信することは、
前記第１のリスト内の第２の周波数チャンネルへの前記第１の周波数チャンネルからのハンドオーバの指示を、前記第１のＵＥから受信すること、及び、
前記第１の周波数帯域内で且つ前記第１のＵＥによるＰ２Ｐ通信用に利用可能な前記複数周波数チャンネルの第２のリストを送信すること、
を備える、請求項５０の方法。
【請求項５２】
前記第１のＵＥの位置、又は、前記ネットワークエンティティの位置、又は、その両方、に基づいて、前記第１の周波数帯域内で且つＰ２Ｐ通信用に利用可能な複数周波数チャンネルのセットを決定すること、及び、
Ｐ２Ｐ通信用に利用可能な複数周波数チャンネルの前記セットに基づいて、Ｐ２Ｐ通信用に前記第１のＵＥに割り当てるために、少なくとも一つの周波数チャンネルを選択すること、
を更に備える、請求項４２の方法。
【請求項５３】
複数周波数チャンネルの前記セットを前記決定することは、前記第１の周波数帯域内で且つ異なる複数位置での免許不要使用のために利用可能な複数周波数チャンネルのデータベースに基づいて、複数周波数チャンネルの前記セットを決定することを備える、請求項５２の方法。
【請求項５４】
前記ネットワークエンティティのカバレッジ下で複数Ｐ２Ｐリンクのリストを維持することであって、各Ｐ２Ｐリンクはピアツーピア通信する複数ＵＥのグループに対応する、維持すること、
複数Ｐ２Ｐリンクの前記リストに使用された前記第１の周波数帯域内の複数周波数チャンネルのリストを維持すること、及び、
複数Ｐ２Ｐリンクの前記リストに使用された複数周波数チャンネル及び前記第１の周波数帯域内で利用可能な複数周波数チャンネルの前記リストに基づいて、Ｐ２Ｐ通信用に前記第１のＵＥに割り当てるために、前記第１の周波数帯域内の少なくとも一つの周波数チャンネルを選択すること、
を更に備える、請求項４２の方法。
【請求項５５】
前記第１の周波数帯域内で且つＰ２Ｐ通信用に利用可能な複数周波数チャンネルのリストを維持すること、及び、
前記ネットワークエンティティのカバレッジ下で且つピアツーピア通信する複数ＵＥからの複数干渉推定に基づいて、周波数チャンネルの前記リストを更新すること、
を更に備える、請求項４２の方法。
【請求項５６】
前記少なくとも一つの他のＵＥとのＰ２Ｐ通信用に前記第１のＵＥに、前記ＷＡＮが認可されている第２の周波数帯域内の複数リソースを割り当てること、
を更に備える、請求項４２の方法。
【請求項５７】
前記第２の周波数帯域内の前記割り当てられた複数リソースでのＰ２Ｐ通信は、前記第１の周波数帯域でのＰ２Ｐ通信よりも、信頼性は高いが、容量は小さい、請求項５６の方法。
【請求項５８】
前記第１のＵＥからＰ２Ｐ通信障害の指示を受信すること、及び、
Ｐ２Ｐ通信障害の前記指示に応答して、前記ＷＡＮを介して前記第１のＵＥ用に通信を確立すること、
を更に備える、請求項４２の方法。
【請求項５９】
前記第１のＵＥからＰ２Ｐ通信障害の指示を受信すること、及び、
Ｐ２Ｐ通信を終了するために、又は、前記ＷＡＮを介した通信にＰ２Ｐ通信から切り替えるために、又は、前記第１のＵＥへの第２の周波数帯域でのＰ２Ｐ通信を継続するために、指示を送信することであって、前記ＷＡＮは、前記第２の周波数帯域で認可されている、指示を送信すること、
を更に備える、請求項４２の方法。
【請求項６０】
前記第１の周波数帯域内で且つＰ２Ｐ通信用に割り当てられていない一つ又は複数の周波数チャンネルを決定すること、及び、
前記第１の周波数帯域の免許不要ユーザによる前記一つ又は複数の周波数チャンネルの使用を阻止するために、前記一つ又は複数の周波数チャンネルでの一つ又は複数の信号を送信すること、
を更に備える、請求項４２の方法。
【請求項６１】
無線通信のための装置であって、
ワイドエリアネットワーク（ＷＡＮ）内のネットワークエンティティによって、前記ＷＡＮに対し認可されていない第１の周波数帯域で第１のユーザ機器（ＵＥ）と少なくとも一つの他のＵＥとの間のピアツーピア（Ｐ２Ｐ）通信を確立するために、前記第１のＵＥと通信するための手段、及び、
前記ネットワークエンティティによって、前記第１のＵＥと前記少なくとも一つの他のＵＥとの間のＰ２Ｐ通信を維持するために、前記第１のＵＥと通信するための手段、
を備える、無線通信のための装置。
【請求項６２】
前記Ｐ２Ｐ通信を確立するために前記第１のＵＥと通信するための前記手段は、
前記第１のＵＥからのＰ２Ｐ通信の要求を受信するための手段、及び、
前記第１のＵＥによるＰ２Ｐ通信用に使用のために利用可能である前記少なくとも一つの周波数チャンネルを、前記第１のＵＥへ、前記第１の周波数帯域内の少なくとも一つの周波数チャンネルで送信するための手段、
を備える、請求項６１の装置。
【請求項６３】
前記第１の周波数帯域内で且つ前記第１の周波数帯域の認可ユーザによって使用されていない複数周波数チャンネルの中からＰ２Ｐ通信用に前記第１のＵＥに割り当てるために、少なくとも一つの周波数チャンネルを選択するための手段、
を更に備える、請求項６１の装置。
【請求項６４】
前記第１のＵＥから前記第１の周波数帯域内の一つ又は複数の周波数チャンネルのための複数センシング結果を受信するための手段、及び、
前記第１のＵＥからの前記複数センシング結果に基づいて、Ｐ２Ｐ通信用に前記第１のＵＥに割り当てるために、前記第１の周波数帯域内の少なくとも一つの周波数チャンネルを選択するための手段、
を更に備える、請求項６１の装置。
【請求項６５】
Ｐ２Ｐ通信を確立するために前記第１のＵＥと通信するための前記手段は、
前記第１の周波数帯域内で且つ前記第１のＵＥによるＰ２Ｐ通信用に利用可能な複数周波数チャンネルのリストを送信するための手段を備え、及び、前記第１のＵＥは、前記リスト内の第１の周波数チャンネルで前記少なくとも一つの他のＵＥとピアツーピア通信を行う、請求項６１の装置。
【請求項６６】
前記第１のＵＥの位置、又は、前記ネットワークエンティティの位置、又は、その両方、に基づいて、前記第１の周波数帯域内で且つＰ２Ｐ通信用に利用可能な複数周波数チャンネルのセットを決定するための手段、及び、
Ｐ２Ｐ通信用に利用可能な複数周波数チャンネルの前記セットに基づいて、Ｐ２Ｐ通信用に前記第１のＵＥに割り当てるために、少なくとも一つの周波数チャンネルを選択するための手段、
を更に備える、請求項６１の装置。
【請求項６７】
無線通信のための装置であって、
ワイドエリアネットワーク（ＷＡＮ）内のネットワークエンティティによって、前記ＷＡＮに対し認可されていない第１の周波数帯域で第１のユーザ機器（ＵＥ）と少なくとも一つの他のＵＥとの間のピアツーピア（Ｐ２Ｐ）通信を確立するために、前記第１のＵＥと通信し、且つ、前記ネットワークエンティティによって、前記第１のＵＥと前記少なくとも一つの他のＵＥとの間のＰ２Ｐ通信を維持するために、前記第１のＵＥと通信する、ように構成された少なくとも一つのプロセッサ、
を備える、無線通信のための装置。
【請求項６８】
前記少なくとも一つのプロセッサは、前記第１のＵＥからのＰ２Ｐ通信の要求を受信し、且つ、前記第１のＵＥによるＰ２Ｐ通信用に使用のために利用可能である前記少なくとも一つの周波数チャンネルを、前記第１のＵＥへ、前記第１の周波数帯域内の少なくとも一つの周波数チャンネルで送信する、ように構成される、請求項６７の装置。
【請求項６９】
前記少なくとも一つのプロセッサは、前記第１の周波数帯域内で且つ前記第１の周波数帯域の認可ユーザによって使用されていない複数周波数チャンネルの中からＰ２Ｐ通信用に前記第１のＵＥに割り当てるために、少なくとも一つの周波数チャンネルを選択するように構成される、請求項６７の装置。
【請求項７０】
前記少なくとも一つのプロセッサは、前記第１のＵＥから前記第１の周波数帯域内の一つ又は複数の周波数チャンネルのための複数センシング結果を受信し、且つ、前記第１のＵＥからの前記複数センシング結果に基づいて、Ｐ２Ｐ通信用に前記第１のＵＥに割り当てるために、前記第１の周波数帯域内の少なくとも一つの周波数チャンネルを選択する、ように構成される、請求項６７の装置。
【請求項７１】
前記少なくとも一つのプロセッサは、前記第１の周波数帯域内で且つ前記第１のＵＥによるＰ２Ｐ通信用に利用可能な複数周波数チャンネルのリストを送信するための手段を備え、及び、前記第１のＵＥは、前記リスト内の第１の周波数チャンネルで前記少なくとも一つの他のＵＥとピアツーピア通信を行うように構成される、請求項６７の装置。
【請求項７２】
前記少なくとも一つのプロセッサは、前記第１のＵＥの位置、又は、前記ネットワークエンティティの位置、又は、その両方、に基づいて、前記第１の周波数帯域内で且つＰ２Ｐ通信用に利用可能な複数周波数チャンネルのセットを決定し、且つ、Ｐ２Ｐ通信用に利用可能な複数周波数チャンネルの前記セットに基づいて、Ｐ２Ｐ通信用に前記第１のＵＥに割り当てるために、少なくとも一つの周波数チャンネルを選択する、ように構成される、請求項６７の装置。
【請求項７３】
コンピュータプログラム製品であって、
少なくとも一つのプロセッサに、ワイドエリアネットワーク（ＷＡＮ）内のネットワークエンティティによって、前記ＷＡＮに対し認可されていない周波数帯域で第１のユーザ機器（ＵＥ）と少なくとも一つの他のＵＥとの間のピアツーピア（Ｐ２Ｐ）通信を確立するために、前記第１のＵＥと通信させるためのコード、及び、
前記少なくとも一つのプロセッサに、前記ネットワークエンティティによって、前記第１のＵＥと前記少なくとも一つの他のＵＥとの間のＰ２Ｐ通信を維持するために、前記第１のＵＥと通信させるためのコード、
を備える、非一時的なコンピュータ可読媒体、
を備える、コンピュータプログラム製品。
【発明の詳細な説明】
【背景技術】
【０００１】
本出願は、２０１０年３月１７日に出願され、「METHOD AND APPARATUS FOR ESTABLISHING PEER-TO-PEER (P2P) COMMUNICATION ON UNLICENSED SPECTRUM（免許不要スペクトルでピアツーピア（Ｐ２Ｐ）通信を確立するための方法及び装置）」と題された、米国仮出願第６１／３１４，９７２号の優先権を主張し、その全体が参照により本明細書に組み込まれる。
【０００２】
［背景］
Ｉ．分野
本開示は、一般に通信に関し、特にピアツーピア（Ｐ２Ｐ）通信をサポートするための技術に関する。
【０００３】
II．背景
複数の無線通信ネットワークが、ボイス、ビデオ、パケットデータ、メッセージング、ブロードキャストなどの様々な通信コンテンツを提供するために広く展開されている。これらの無線ネットワークは、利用可能な複数のネットワーク資源を共有することによって、多数のユーザをサポートすることが可能な多元接続ネットワークであることができる。そのような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、及びシングルキャリアＦＤＭＡ（ＳＣ−ＦＤＭＡ）ネットワークを含む。
【０００４】
無線通信ネットワークは、数多くのユーザ機器（ＵＥ）のための通信をサポートすることができる数多くの基地局を含むことができる。ＵＥは、ダウンリンク及びアップリンクを介して、基地局と通信することができる。ダウンリンク（又は順方向リンク）は、その基地局から当該ＵＥへの通信リンクを指し、アップリンク（又は逆方向リンク）は、当該ＵＥからその基地局への通信リンクを指す。また、ＵＥは、一つ又は複数の他のＵＥとピアツーピア通信することができる場合もある。Ｐ２Ｐ通信をＵＥに対して効率的にサポートすることが望まれることがあり得る。
【発明の概要】
【０００５】
免許不要スペクトルで複数ＵＥのためのＰ２Ｐ通信を確立し、維持するための技術が、本明細書に記載されている。一態様では、ネットワーク支援を受けて、免許不要スペクトルでのＰ２Ｐ通信が確立され、維持されることができる。一設計においては、ＵＥは、ワイドエリアネットワーク（ＷＡＮ）に対して認可されていない第１の周波数帯域で少なくとも一つの他のＵＥとのＰ２Ｐ通信を確立するために、そのＷＡＮと通信することができる。一設計においては、ＵＥは、そのＷＡＮへＰ２Ｐ通信の要求を送信することができ、その後、Ｐ２Ｐ通信に使用する第１の周波数帯域内の少なくとも一つの周波数チャンネルを受信することができる。その後、ＵＥは、Ｐ２Ｐ通信に割り当てられた上記少なくとも一つの周波数チャンネルで、上記少なくとも一つの他のＵＥとピアツーピア通信することができる。また、ＵＥは、上記少なくとも一つの他のＵＥとのＰ２Ｐ通信を維持するために、上記ＷＡＮと通信することもできる。ＵＥは、上記ＷＡＮが認可されている第２の周波数帯域で、上記ＷＡＮと通信することができる。したがって、ＵＥは、異なる認可周波数帯域と免許不要周波数帯域とで、上記ＷＡＮ及び他のＵＥ（複数可）と通信することができる。
【０００６】
一設計では、ネットワークエンティティ（例えば、基地局）は、ＷＡＮに認可されていない第１の周波数帯で、ＵＥと少なくとも一つの他のＵＥとの間のＰ２Ｐ通信を確立するために、そのＵＥと通信することができる。また、ネットワークエンティティは、そのＵＥと少なくとも一つの他のＵＥとの間のＰ２Ｐ通信を維持するために、そのＵＥと通信することもできる。ネットワークエンティティは、上記ＷＡＮが認可されている第２の周波数帯域で上記第１のＵＥと通信することができる。
【０００７】
別の態様では、免許不要スペクトルでのＰ２Ｐ通信は、センシングを用いてサポートされることができる。ＵＥは、ＷＡＮに認可されていない周波数帯域内の少なくとも一つの周波数チャンネルで、少なくとも一つの他のＵＥとピアツーピア通信することができる。ＵＥは、上記周波数帯域の少なくとも一つの認可ユーザによる上記少なくとも一つの周波数チャンネルの使用を検出するために、上記少なくとも一つの周波数チャンネルを監視することができる。ＵＥは、上記少なくとも一つの認可ユーザによる上記少なくとも一つの周波数チャンネルの使用が検出されると、当該少なくとも一つの周波数チャンネルでのＰ２Ｐ通信を終了することができる。また、ＵＥは、免許不要ユーザが検出されると、または、パフォーマンスが低下すると、Ｐ２Ｐ通信を終了することができる。
【０００８】
さらに別の態様では、免許不要スペクトルでのＰ２Ｐ通信は、複数周波数チャンネルのリストを使用してサポートされることができる。ＵＥは、ＷＡＮに対しては認可されていないが、Ｐ２Ｐ通信用には利用可能である、周波数帯域内の複数周波数チャンネルのリストを受信することができる。ＵＥは、そのリスト内の第１の周波数チャンネルで、少なくとも一つの他のＵＥとピアツーピア通信することができる。ＵＥは、例えば上記第１の周波数チャンネルで検出されている認可ユーザのために、上記第１の周波数チャンネルから上記リスト内の第２の周波数チャンネルへのハンドオーバを実行することを決定することができる。ＵＥは、上記第１の周波数チャンネルから上記第２の周波数チャンネルへのハンドオーバを実行することができ、その後、上記第２の周波数チャンネルで上記少なくとも一つの他のＵＥとＰ２Ｐ通信を行うことができる。
【０００９】
さらに別の態様では、基地局は、免許不要スペクトでの複数ＵＥのためのＰ２Ｐ通信をサポートするために、ＷＡＮ内の少なくとも一つのネットワークエンティティ（例えば、少なくとも一つの他の基地局）と協働することができる。一設計においては、基地局は、Ｐ２Ｐ通信用の使用のために利用可能な少なくとも一つの周波数チャンネルを決定するために、上記少なくとも一つのネットワークエンティティと通信することができる。上記少なくとも一つの周波数チャンネルは、上記ＷＡＮに対して認可されていない周波数帯域に属していても良い。基地局は、Ｐ２Ｐ通信用に、複数ＵＥに対して上記少なくとも一つの周波数チャンネルを割り当てることができる。
【００１０】
開示の様々な態様及び特徴は、以下でさらに詳細に説明される。
【図面の簡単な説明】
【００１１】
図面においては、同様の参照符号は、特に明記しない限り、様々な図を通して同じ部品を参照する。
【図１】図１は、無線通信ネットワークを示している。
【図２−１】図２−１は、免許不要スペクトルでのネットワーク支援型Ｐ２Ｐ通信用のプロセスを示している。
【図２−２】図２−２は、免許不要スペクトルでのネットワーク支援型Ｐ２Ｐ通信用のプロセスを示している。
【図３】図３は、ネットワーク支援を受けて免許不要スペクトルでピアツーピア通信を行うためのプロセスを示している。
【図４】図４は、センシングを用いて免許不要スペクトルでピアツーピア通信を行うためのプロセスを示している。
【図５】図５は、複数周波数チャンネルのリストを使用して免許不要スペクトルでピアツーピア通信を行うためのプロセスを示している。
【図６】図６は、ネットワークエンティティによって免許不要スペクトルでのＰ２Ｐ通信をサポートするためのプロセスを示している。
【図７】図７は、ネットワークエンティティ間の協力を得て、免許不要スペクトルでのＰ２Ｐ通信をサポートするためのプロセスを示している。
【図８】図８は、Ｐ２Ｐ通信が可能なＵＥのブロック図を示している。
【図９】図９は、Ｐ２Ｐ通信をサポートする基地局のブロック図を示している。
【図１０】図１０は、基地局及びＵＥの別のブロック図を示している。
【発明を実施するための形態】
【００１２】
本明細書に記載の技術は、ＣＤＭＡ、ＴＤＭＡ、ＦＤＭＡ、ＯＦＤＭＡ、ＳＣ−ＦＤＭＡ及び他の無線ネットワークなどの様々な無線通信ネットワークに使用されることができる。「ネットワーク」及び 「システム」という用語は、しばしば互換的に使用される。ＣＤＭＡネットワークは、ユニバーサル地上無線アクセス（ＵＴＲＡ）、ｃｄｍａ２０００、その他、などの無線技術を実装することができる。ＵＴＲＡは、広帯域ＣＤＭＡ（ＷＣＤＭＡ）、時分割同期ＣＤＭＡ（ＴＤ−ＣＤＭＡ）、及びＣＤＭＡの他の変異体を含む。ｃｄｍａ２０００は、ＩＳ−２０００、ＩＳ−９５及びＩＳ−８５６規格をカバーする。ＴＤＭＡネットワークは、移動体通信用グローバルシステム（ＧＳＭ（登録商標））などの無線技術を実装することができる。ＯＦＤＭＡネットワークは、進化型ＵＴＲＡ（Ｅ−ＵＴＲＡ）、ウルトラモバイルブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）、その他、などの無線技術を実装することができる。ＵＴＲＡ及びＥ−ＵＴＲＡは、ユニバーサル移動体通信システム（ＵＭＴＳ）の一部である。共に周波数分割複信（ＦＤＤ）及び時分割複信（ＴＤＤ）における３ＧＰＰロングタームエボリューション（ＬＴＥ）及びＬＴＥ−Ａｄｖａｎｃｅｄ（ＬＴＥ−Ａ）は、ダウンリンクではＯＦＤＭＡを使用し且つアップリンクではＳＣ−ＦＤＭＡを使用する、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ及びＧＳＭは、「第３世代パートナーシッププロジェクト」（３ＧＰＰ）という名称の組織からの文書に記載されている。ｃｄｍａ２０００及びＵＭＢは、「第３世代パートナーシッププロジェクト２」（３ＧＰＰ２）という名称の組織からの文書に記載されている。本明細書に記載の技術は、上述の無線ネットワーク及び無線技術、ならびに他の無線ネットワーク及び無線技術に使用されることができる。
【００１３】
図１は、ＬＴＥネットワーク又は何か別のＷＡＮであり得る、ＷＡＮ  １００を示している。ＷＡＮ  １００は、数多くの基地局及び他の複数ネットワークエンティティを含むことができる。簡単化のために、３つの基地局１１０ａ、１１０ｂ及び１１０ｃと、一つのネットワークコントローラ１３０とだけが、図１に示されている。基地局は、複数ＵＥと通信するエンティティであることができ、また、ノードＢ、進化ノードＢ（ｅＮＢ）、アクセスポイント、等々と呼ばれることもあり得る。各基地局は、特定の地理的領域のための通信カバレッジを提供することができ、カバレッジエリア内に位置する複数ＵＥのための通信をサポートすることができる。３ＧＰＰでは、用語「セル」は、当該用語が使用されるコンテキストに応じて、基地局のカバレッジエリア及び／又はこのカバレッジエリアにサービスを提供する基地局サブシステムを指すことができる。３ＧＰＰ２では、用語「セクタ」または「セルセクタ」は、基地局のカバレッジエリア及び／又はこのカバレッジエリアにサービスを提供する基地局サブシステムを指すことができる。明確にするために、「セル」の３ＧＰＰ概念が、ここでの説明に使用される。
【００１４】
基地局は、マクロセル、ピコセル、フェムトセル及び／又は他の種類のセルために、通信カバレッジを提供することができる。マクロセルは、比較的大規模な地理的領域（例えば、半径数キロメートル）をカバーすることができ、サービスを申し込んだ複数ＵＥに無制限のアクセスを許可することができる。ピコセルは、比較的狭い地理的領域をカバーすることができ、サービスを申し込んだ複数ＵＥに無制限のアクセスを許可することができる。フェムトセルは、比較的狭い地理的領域（例えば、自宅）をカバーすることができ、当該フェムトセルとの関連を有する複数ＵＥ（例えば、クローズドサブスクライバグループ（ＣＳＧ）内の複数ＵＥ）に、制限されたアクセスを許可することができる。図１に示された例においては、ＷＡＮ  １００は、複数マクロセルのためのマクロ基地局１１０ａ、１１０ｂ及び１１０ｃを含む。また、ＷＡＮ  １００は、複数ピコセルのための複数ピコ基地局及び／又は複数フェムトセル（図１には図示せず）のための複数フェムト／ホーム基地局を含むことができる。
【００１５】
ネットワークコントローラ１３０は、複数基地局のセットに結合することができ、これらの基地局の調整及び制御を提供することができる。ネットワークコントローラ１３０は、バックホールを介して複数基地局と通信することができる。また、複数基地局は、バックホールを介して互いに通信することができる。ジオロケーションデータベースサーバ１４０は、ネットワークコントローラ１３０及び／又は他の複数ネットワークエンティティに結合することができる。サーバ１４０は、後述するように、免許不要スペクトルでの通信をサポートすることができる。
【００１６】
複数ＵＥ  １２０は、ＷＡＮ  １００全体に分散させられることができ、各ＵＥは、固定であっても良いし、モバイルであっても良い。また、ＵＥは、基地局、移動局、端末、アクセス端末、加入者ユニット、等と呼ばれることもある。ＵＥは、携帯電話、パーソナルデジタルアシスタント（ＰＤＡ）、無線モデム、無線通信デバイス、ハンドヘルドデバイス、ラップトップコンピュータ、コードレス電話、ワイヤレスローカルループ（ＷＬＬ）局、スマートフォン、ネットブック、スマートブック、タブレット、等々であることができる。ＵＥは、複数基地局、複数リレー、他の複数ＵＥ、等々と通信可能であることができる。
【００１７】
本明細書の説明では、ＷＡＮ通信とは、例えば別のＵＥなどのリモート局との通話のための、ＵＥと基地局との間の通信を指す。アクセスリンクは、ＵＥと基地局との間の通信リンクを指す。Ｐ２Ｐ通信は、基地局を介さない二つ以上のＵＥ間のダイレクト通信を指す。Ｐ２Ｐリンクは、Ｐ２Ｐ通信を行っている二つ以上のＵＥ間の通信リンクを指す。Ｐ２Ｐグループは、Ｐ２Ｐ通信を行っている二つ以上のＵＥのグループを指す。一設計では、Ｐ２Ｐグループ内の一つのＵＥがＰ２Ｐサーバとして指定されることができ、当該Ｐ２Ｐグループ内の残りの各ＵＥは、Ｐ２Ｐクライアントとして指定されることができる。Ｐ２Ｐサーバは、ＷＡＮとのシグナリングの交換、Ｐ２ＰサーバとＰ２Ｐクライアント（複数可）との間のデータ伝送の調整、等々などの特定の管理機能を実行することができる。
【００１８】
図１に示す例においては、ＵＥ  １２０ａと１２０ｂとが、基地局１１０ａのカバレッジ下にあり、Ｐ２Ｐ通信を行っている。ＵＥ  １２０ｃと１２０ｄとは、基地局１１０ｂのカバレッジ下にあり、Ｐ２Ｐ通信を行っている。ＵＥ  １２０ｅと１２０ｆとは、異なる基地局１１０ｂと１１０ｃのカバレッジ下にあり、Ｐ２Ｐ通信を行っている。ＵＥ  １２０ｇと１２０ｈと１２０ｉとは、同じ基地局１１０ｃのカバレッジ下にあり、Ｐ２Ｐ通信を行っている。図１中の他の複数ＵＥ  １２０は、ＷＡＮ通信を行っている。
【００１９】
ＷＡＮ  １００は、ネットワークオペレータに対して認可されている一つ又は複数の周波数チャンネルで動作することができる。ＷＡＮ  １００は、認可周波数チャンネル（複数可）でＷＡＮ通信とＰ２Ｐ通信との両方をサポートすることができる。この場合、認可周波数チャンネル（複数可）上の幾つかのリソースが、Ｐ２Ｐ通信用に予約されることができ、残りの複数リソースは、ＷＡＮ通信のために使用されることができる。
【００２０】
全ての周波数スペクトルは、米国での連邦通信委員会（ＦＣＣ）などの規制機関によって、異なる複数周波数帯域（あるいは、本明細書の記載では、単に「帯域」）に分割されることができる。各周波数帯域は、特定の周波数範囲をカバーしても良いし、特定の使用のために指定されても良い。例えば、米国では、６９８乃至８０６ＭＨｚの周波数帯域は、テレビ（ＴＶ）放送のために使用され、８２４乃至８８５ＭＨｚ（セルラ帯域）と１８５０乃至１９９０ＭＨｚ（ＰＣＳ帯域）の周波数帯域は、携帯電話のために使用される、等々である。各周波数帯域は、数多くの周波数チャンネル（あるいは、本明細書の記載では、単に「複数チャンネル」）に分割されることができる。例えば、６９８乃至８０６ＭＨｚの周波数帯域は、ＴＶチャンネル５２〜６９に対応する１８個の１８６ＭＨｚのチャンネルに分割される。本明細書の記載では、用語「スペクトル」は概して、周波数帯域、周波数チャンネル、等々であり得る、周波数の範囲を指す。
【００２１】
周波数帯域の全部または一部は、特定の地理的領域のために、特定のオペレータに対して認可されることができる。オペレータに対して認可されている周波数帯域は、認可帯域、認可スペクトル、等々と呼ばれることもある。認可オペレータは、当該周波数帯域で動作する複数ユーザをサポートすることができる。特定の周波数帯域を使用することを認可されているユーザは、その周波数帯域のプライマリユーザまたは認可ユーザと呼ばれ得る。特定の周波数帯域を使用することを認可されていないユーザは、セカンダリユーザまたは免許不要ユーザと呼ばれ得る。所与の周波数帯域で異なる優先順位を有する複数プライマリユーザの複数の段階があり得る。例えば、軍事ユーザや警察消防ユーザは、所与の周波数帯域の優先順位が高いプライマリユーザとすることができ、携帯電話ユーザは、同じ周波数帯域の優先順位が低いプライマリユーザとすることができる。優先順位の高いプライマリユーザが当該周波数帯域で動作している場合は、優先順位が低いプライマリユーザは、当該周波数帯域を空けることが必要になることがあり得る。明確にするために、本明細書の記載のほとんどで、「認可」と「免許不要」という用語は、ＷＡＮ  １００内のエンティティの観点からのものである。それゆえに、免許不要帯域は、ＷＡＮ  １００のオペレータに認可されていない周波数帯域である。免許不要チャンネルは、免許不要帯域中の周波数チャンネルである。
【００２２】
任意のプライマリユーザによってしばしば占有されない幾つかの周波数帯域の利用可能性は、最近は、プライマリユーザが送信していないときに、免許不要ユーザがこれらの周波数帯域を使用できるようにする提案につながっている。特に、５４ＭＨｚ乃至６９８ＭＨｚの範囲でトータル２８２ＭＨｚをカバーする数多くの周波数帯域が、免許不要使用のために提案されており、総称してＴＶホワイトスペーススペクトルと呼ばれている。ＴＶホワイトスペーススペクトルは、もともとテレビ放送用に予約され、それぞれ６ＭＨの帯域幅を持つ４７のＴＶチャンネルを含んでいる。ＴＶホワイトスペーススペクトルの４７のＴＶチャンネルの内、５１２ＭＨｚ乃至５７２ＭＨｚのわずか１０のＴＶチャンネル２１乃至３０が、将来的に携帯機器で使用可能であることができる。ＷＡＮは、免許不要帯域の複数プライマリユーザが中断されないのであれば、当該帯域を使用することができる。例えば、携帯電話ネットワークは、複数基地局と複数ＵＥとの間の複数アクセスリンクのために、免許不要帯域を使用することができる。
【００２３】
ある態様では、免許不要スペクトルは、ＷＡＮ内の複数ＵＥ間でのＰ２Ｐ通信をサポートするために使用されることができる。Ｐ２Ｐ通信は、複数ＵＥが十分に接近しているときには、効率及びその他の利点を提供することができる。例えば、Ｐ２Ｐ通信は、基地局に、十分近い複数ＵＥ間のＰ２Ｐリンクに一部のトラフィックをアンロードすることを許すことができ、これは、基地局と他の複数ＵＥとの間のアクセスリンクの輻輳を軽減することができる。しかしながら、Ｐ２Ｐ通信がＷＡＮ通信のために使用されているのと同じ認可スペクトルを共有するならば、ＷＡＮの有効性及び容量は、多様な進行中のＷＡＮ通信とＰ２Ｐ通信の間で、利用可能なリソースを分けなければならないことによって、低下されることがある。それゆえに、別個のＰ２Ｐ通信用の免許不要スペクトルとＷＡＮ通信用の認可スペクトルとを使用することが、望ましくあり得る。
【００２４】
一般的には、Ｐ２Ｐ通信は、どの免許不要帯域ででもサポートされることができる。例えば、Ｐ２Ｐ通信は、数多くの６ＭＨｚのＴＶチャンネルを含むＴＶホワイトスペーススペクトルで、サポートされることができる。ある設計では、６ＭＨｚのＴＶチャンネルの内の約５ＭＨｚは、（例えば、ＬＴＥ、ＷＣＤＭＡ、ｃｄｍａ２０００、或いは、何か別の無線技術を使用する）Ｐ２Ｐ通信をサポートするために使用されることができる。
【００２５】
様々なスキームが、複数プライマリユーザに干渉することなく、免許不要チャンネルでのＰ２Ｐ通信をサポートするために使用されることができる。これらのスキームは、以下を含むことができる：  
＊ロケーションベーススキーム  −  Ｐ２Ｐ通信に利用可能な免許不要チャンネルは、位置に基づいて決定される；及び、  
＊センシングベーススキーム  −  Ｐ２Ｐ通信に利用可能な免許不要チャンネルは、複数プライマリユーザのため、及び場合により複数セカンダリユーザのために、免許不要チャンネルをセンシングすることにより、決定される。
【００２６】
ロケーションベーススキームでは、中央集中型ジオロケーションデータベースは、複数地理的位置に基づいて、複数セカンダリユーザによる使用用に利用可能（または使用不能）である、複数免許不要チャンネルを格納することができる。例えば、ＴＶホワイトスペーススペクトル用のジオロケーションデータベースは、地理的位置に基づいてアクティブな複数ＴＶチャンネルを格納することができ、（もしあれば）どの複数ＴＶチャンネルが任意の特定の位置で免許不要使用のために利用可能であるかを決定するために使用されることができる。ＵＥは、任意の位置決め方法、例えば、全地球測位システム（ＧＰＳ）、三角測量、等々に基づいて、その場所を決定することができる。基地局は、任意の場所決め方法（例えば、ＧＰＳ）、ハードコーディングされた位置、等々に基づいて、その位置を決定することができる。基地局やＵＥは、その位置でＰ２Ｐ通信用の使用に利用可能である免許不要チャンネルを決定するために、その位置についてジオロケーションデータベースにアクセスすることができる。
【００２７】
上記センシングベーススキームでは、ＵＥは、定期的に、プライマリユーザ及び／又はセカンダリユーザのために検出するために、免許不要チャンネルを定期的にセンシングすることができる。上記ＵＥは、プライマリ又はセカンダリユーザが検出されなかったときには、上記免許不要チャンネルで通信することができ、任意のプライマリユーザが当該免許不要チャンネルの使用を開始したならば、当該免許不要チャンネルを返上することができる。上記センシングベーススキームはまた、上記ＵＥが上記免許不要チャンネルでの他の複数ユーザの存在を知っているので、「認知」動作と称されることもある。
【００２８】
その他の方式もまた、免許不要スペクトルでのＰ２Ｐ通信をサポートするために使用されることができる。上記複数スキームの組み合わせ（例えば、上記ロケーションベーススキームとセンシングベーススキームとの両方）もまた、免許不要スペクトルでのＰ２Ｐ通信をサポートするために使用されることができる。
【００２９】
複数基地局のカバレッジ外に位置する複数ＵＥが、免許不要チャンネルでＰ２Ｐ通信を行うことを望むことが有り得る。これら複数ＵＥは、複数認知動作に基づいて当該免許不要チャンネルで動作することができる。この場合、複数ＵＥは、定期的に、当該免許不要チャンネルをセンシングし、プライマリユーザが検出されなかったときには当該免許不要チャンネルで通信することができ、もし任意のプライマリユーザが当該免許不要チャンネルの使用を開始したならば、直ちに当該免許不要チャンネルを返上する。さらに、認知可能な複数ＵＥは、当該免許不要チャンネルで送信する前に、当該免許不要チャンネルが使用のために利用可能かどうかを判断するために、定期的に、ジオロケーションデータベースにアクセスすることができる。複数認知動作を使用して上記免許不要チャンネルでＰ２Ｐ通信をサポートするための上記追加の複数機能は、複数ＵＥの複雑さとコストを大幅に増大させ得る。
【００３０】
同じ基地局のカバレッジ内、又は、ＷＡＮ内の異なる基地局でさえのカバレッジ内に位置する複数ＵＥが、免許不要チャンネルでＰ２Ｐ通信を行うことを望むことも有り得る。この場合、上記ＷＡＮは、これら複数ＵＥのために、免許不要チャンネルでＰ２Ｐ通信を確立し、維持するのを助けることができる。Ｐ２Ｐ通信の確立及び維持のためのネットワーク支援は、本質的に信頼できないかもしれない複数免許不要チャンネルのために、特に有利で有り得る。
【００３１】
ネットワークアシスト型Ｐ２Ｐ通信は、特定の複数機能を有する複数ＵＥによってサポートされることができる。一設計においては、複数ＵＥは、センシング能力を有することができ、複数免許不要チャンネルが使用のために開かれているかどうかを判断するために、これら複数免許不要チャンネルをセンシングすることができる。ＵＥは、プライマリユーザ及び／又はセカンダリユーザが免許不要チャンネルを使用しているかどうかを判断するために、その免許不要チャンネルをセンシングすることができる。上記ＵＥは、上記免許不要チャンネルでプライマリユーザによって送信された信号を検出するために、受信信号を処理することによって、プライマリユーザが上記免許不要チャンネルを使用しているかどうかを判断することができる。例えば、上記ＵＥは、ＴＶホワイトスペーススペクトル中の免許不要チャンネルで伝送された信号の特定の既知特性（例えば、色副搬送波）を検出することができる。上記ＵＥはまた、セカンダリユーザからの干渉のパワースペクトル密度（ＰＳＤ）を測定することにより、当該セカンダリユーザが上記免許不要チャンネルを使用しているかどうかを判断することもできる。
【００３２】
ネットワークアシスト型Ｐ２Ｐ通信はまた、特定の複数機能を有する複数基地局によってサポートされることもできる。一設計では、上記複数基地局は、十分な精度でそれらの位置を知っていることができ、また、位置に基づいてＰ２Ｐ通信用に使用のために利用可能な複数免許不要チャンネルを提供するジオロケーションデータベースへのアクセスをも持つことができる。データベースアクセス及び位置は、ＴＶホワイトスペーススペクトルでの動作をサポートするために必要とされることができる。ＴＶホワイトスペース中のスペクトル以外の他の免許不要チャンネルが使用される場合には、データベースアクセス及び位置が必要ないことが有り得る。
【００３３】
一設計では、複数基地局はまた、それらが複数免許不要チャンネルで送信することができる、できないにかかわらず、センシング能力を有することができる。基地局は、プライマリユーザ及び／又はセカンダリユーザが免許不要チャンネルを使用しているかどうかを判断するために、当該免許不要チャンネルをセンシングすることができる。上記基地局は、上記免許不要チャンネルが当該基地局のカバレッジ下の複数ＵＥ間のＰ２Ｐ通信に割り当てられることができるかどうかを決定するために、その複数センシング結果を使用することができる。例えば、上記基地局は、プライマリユーザ及び／又はセカンダリユーザが免許不要チャンネルで検出されたならば、Ｐ２Ｐ通信用に当該免許不要チャンネルを割り当てることはできない。複数センシング結果は、後述するように、Ｐ２Ｐ通信用の複数免許不要チャンネルの選択と割り当てとを改善するために使用されることができる。
【００３４】
図２は、免許不要スペクトルでのネットワーク支援型Ｐ２Ｐ通信用のプロセス２００の設計の流れ図を示している。明確にするために、あるグループの２つのＵＥの間のＰ２Ｐ通信が、以下に記載される。一般的には、Ｐ２Ｐ通信は、任意の数のＵＥためにサポートされることができる。一設計では、上記Ｐ２Ｐサーバのみが、Ｐ２Ｐ通信用のネットワーク支援のためにＷＡＮと通信する。そして、上記Ｐ２Ｐサーバは、上記Ｐ２Ｐクライアント（複数可）に適切な情報を伝えることができる。以下に記載される別の設計では、上記Ｐ２Ｐサーバ及びＰ２Ｐクライアント（複数可）は両方とも、Ｐ２Ｐ通信用のネットワーク支援のためにＷＡＮと通信することができる。
【００３５】
第１のＵＥ（ＵＥ１）は、ピア発見手順を介して、第２のＵＥ（ＵＥ２）の存在を検出することができる（ステップ１）。ピア発見手順については、各ＵＥ（又は、ＵＥと称されるもの）は、（ｉ）そのＵＥの存在をアナウンスするために近接検出信号を送信することができ、及び／又は（ｉｉ）他のＵＥからの複数近接検出信号を検出することができる。上記第１のＵＥは、上記第２のＵＥとのＰ２Ｐ通信を確立することを望むことができる（ステップ２）。上記第１のＵＥは、上記第２のＵＥとのＰ２Ｐ通信を確立するためのネットワーク支援を求めるために、そのサービング基地局に対して、Ｐ２Ｐ接続要求を送信することができる（ステップ３）。例えば、上記Ｐ２Ｐ接続要求は、Ｐ２Ｐ通信用に使用する周波数チャンネル及び／又はその他のリソースを求めることができる。
【００３６】
上記基地局は、Ｐ２Ｐ通信に関与する複数ＵＥの複数能力を決定するために、上記第１及び複数第２のＵＥに問い合わせることができる（ステップ４ａ及び４ｂ）。例えば、上記基地局は、免許不要バンドが上記複数ＵＥによってサポートされている認知動作を上記複数ＵＥがサポートするかどうか、などを問い合わせることができる。上記基地局は、ジオロケーションデータベース、或いは、何か別の手段に基づいて、Ｐ２Ｐ通信用に使用のために利用可能な免許不要チャンネルを決定することができる。本明細書の記述では、利用可能な免許不要チャンネルは、プライマリユーザが当該免許不要チャンネルで送信されていないならば、Ｐ２Ｐ通信用に使用されることができる免認可チャンネルである。次に、上記基地局は、Ｐ２Ｐ通信用に上記複数ＵＥに割り当てが可能な複数候補免許不要チャンネルを決定することができる（ステップ５）。上記複数候補免許不要チャンネルは、上記ＵＥの能力及び／又は他の基準に基づいて、上記利用可能な複数免許不要チャンネル中から選択されることができる。次に、上記基地局は、上記複数候補免許不要チャンネルのため、上記複数ＵＥに複数センシングコマンドを発行することができる（ステップ６ａ及び６ｂ）。
【００３７】
上記第１及び第２のＵＥは、上記基地局からの上記センシングコマンドを受信することができ、上記複数候補免許不要チャンネルをセンシングすることができる（ステップ７ａ及び７ｂ）。上記複数ＵＥは、複数センシング結果とおそらく他の関連情報とを、上記基地局に報告することができる（ステップ８ａ及び８ｂ）。上記複数センシング結果は、プライマリユーザ及び／又はセカンダリユーザが各候補免許不要チャンネルで検出されたか否か、各候補免許不要チャンネル上の干渉の量、各候補免許不要チャンネルのチャンネル品質、等について示すことができる。上記関連情報は、ＵＥのポジショニング（例えば、ＧＰＳ）能力に基づいて決定されることができる、上記複数ＵＥの位置を含むことができる。上記関連情報はまた、受信信号強度、または、経路損失、または、上記他のＵＥから受信した上記近接検出信号に基づいて上記ピア発見手順の間に得られることができる、上記他のＵＥに対する各ＵＥ（又は一つのＵＥ）によって測定された伝播遅延、を含むことができる。上記関連情報はまた、上記複数ＵＥ間のＰ２Ｐ通信を確立するために有用であり得る、他の情報を含むことができる。
【００３８】
上記基地局は、上記第１及び第２のＵＥから上記センシング結果とおそらくは他の関連情報を受信ことができる。上記基地局は、複数ＵＥから受信した上記情報に基づいて、上記複数ＵＥのためにＰ２Ｐ通信かＷＡＮ通信の何れかを選択することができる（ステップ９）。例えば、上記基地局は、それら報告された位置や、受信信号強度、または、経路損失、または、上記他のＵＥに対する各ＵＥ（又は一つのＵＥ）によって測定された伝播遅延、に基づいて、上記第１及び第２のＵＥ間の距離を推定することができる。上記基地局は、（図２に示すように）上記推定された距離が或る閾値未満の場合は上記第１及び第２のＵＥのためにＰ２Ｐ通信を選択することができ、（図２には示されないが）上記推定された距離が上記閾値よりも大きい場合はＷＡＮ通信を選択することができる。上記基地局はまた、他の複数要因に基づいて、上記複数ＵＥのためにＰ２Ｐ通信かＷＡＮ通信かを選択することができる。例えば、上記基地局は、免許不要チャンネルが使用するために利用できない場合、または、上記複数ＵＥが利用可能な免許不要チャンネルでの通信に対応していない場合、等々には、ＷＡＮ通信を選択することができる。
【００３９】
（図２に示すように）Ｐ２Ｐ通信が複数ＵＥのために選択された場合、上記基地局は、例えば、上記センシング結果及び／又は上記基地局で使用可能な他の情報に基づいて、Ｐ２Ｐ通信用に免許不要チャンネルを選択することができる（ステップ１０）。次に、上記基地局は、Ｐ２Ｐ通信用に、上記ＵＥに対し、上記選択された免許不要チャンネルを割り当てることができる（これもステップ１０）。上記基地局は、Ｐ２Ｐ通信を確立することを上記第１及び第２のＵＥに命令することができ、また、上記割り当てられた免許不要チャンネルを提供することができる（ステップ１１ａ及び１１ｂ）。上記第１及び第２のＵＥは、上記基地局からの上記命令を受信することができ、上記割り当てられた免許不要チャンネルでＰ２Ｐ通信を確立することができる（ステップ１２）。次に、上記複数ＵＥは、上記割り当てられた免許不要チャンネルでピアツーピア通信をすることができる（これもステップ１２）。
【００４０】
（図２に示されていないが）ＷＡＮ通信が上記複数ＵＥのために選択された場合には、上記基地局は、当該基地局を経由してＷＡＮ通信を確立することを上記複数ＵＥに命令することができる。上記基地局はまた、Ｐ２Ｐ通信が、認可チャンネルでのみサポートされることができる、ということを決定することができる。次に、上記基地局は、上記認可チャンネルの幾つかのリソースを割り当てられることができ、上記認可ライセンスチャンネルの上記割り当てられた複数リソース上でＰ２Ｐ通信を確立することを上記第１及び第２のＵＥに命令することができる。
【００４１】
複数免許不要チャンネルでの通信は、これらのチャンネルがいつでも複数プライマリユーザによって、あるいは複数セカンダリユーザによってさえも、合法的に妨害されることができるので、本質的に不安定であり得る。例えば、異なる複数無線技術は、認知可能であることができ、異なる複数無線技術の複数免許不要ユーザ間の妨害になることがあり得る、同じ免許不要チャンネルを使用することを決めることができる。従って、免許不要チャンネルは、通信が過度の干渉によってこれらの免許不要チャンネルでは不可能である、複数機能停止期間をこうむることが有り得る。そのような複数機能停止を認識して、異なる複数チャンネルにハンドオーバを実行するために、適切な技術が用いられることができる。
【００４２】
一設計では、Ｐ２Ｐ通信に関与する第１のＵＥ及び／又は第２のＵＥは、Ｐ２Ｐ通信が上記割り当てられた免許不要チャンネルでアクティブになっている間、継続的に、機能停止を監視することができる（ステップ１３ａ及び１３ｂ）。上記第１のＵＥ及び／又は第２のＵＥは、上記割り当てられた免許不要チャンネルのチャンネル品質がある特定の最小チャンネル品質閾値を下回るとき、上記免許不要チャンネルの上記干渉電力がある特定の干渉閾値を超えたとき、チャンネル品質情報（ＣＱＩ）がある特定のＣＱＩ閾値を下回るとき、ＣＱＩの動的挙動（例えば、フェーディングのみによることができない一時的な低下）が複数異常状態を示唆するとき、Ｐ２Ｐ通信のデータ誤り率がある特定の最大データ誤り率閾値を超えるとき、等々に、機能停止を検出することができる。機能停止監視は、上記免許不要チャンネルでの通信が上記の理由のために本質的に不安定になり得るので、役立つことができる。
【００４３】
あるいは又はさらに、上記第１のＵＥ及び／又は第２のＵＥは、複数プライマリ／セカンダリユーザに対して上記割り当てられた免許不要チャンネルを定期的にセンシングすることができる。例えば、上記第１のＵＥ及び／又は第２のＵＥは、上記割り当てられた免許不要チャンネルで送信を開始するセカンダリユーザによることができる、上記Ｐ２Ｐリンク上のより高い干渉レベルに基づいて、上記同じ免許不要チャンネル上の上記セカンダリユーザの存在を検出することができる。上記より高い干渉レベルは、Ｐ２ＰリンクのＣＱＩの突然の低下、または否定応答（ＮＡＣＫ）のより高いレート、等々を通して認識されることができる。
【００４４】
上記第１のＵＥ及び／又は第２のＵＥは、検出された機能停止、上記割り当てられた免許不要チャンネルでセンシングされたプライマリユーザ、または、上記割り当てられた免許不要チャンネルで検出された強力な干渉、等々によることが有り得る、エラーイベントを検出することができる。上記第１のＵＥ及び／又は第２のＵＥは、上記基地局に上記エラーイベントを報告することができる（ステップ１４）。上記報告されたエラーイベントに応答して、上記基地局は、Ｐ２Ｐ通信用に、上記第１及び第２のＵＥに対して、別の免許不要チャンネルを割り当てることができる（ステップ１５）。次に、上記基地局は、上記第１及び第２のＵＥへ、上記新しく割り当てられた免許不要チャンネルとの周波数間ハンドオーバコマンドを送ることができる（ステップ１６ａ及び１６ｂ）。次に、上記複数ＵＥは、周波数を切り替えて、上記新たに割り当てられた免許不要チャンネルでピアツーピア通信することができる（ステップ１７）。ステップ１３〜１７において上述した動的周波数チャンネル選択は、上記更新ステータスを使用して再度実行されることができる。
【００４５】
Ｐ２Ｐ通信が完了すると、上記第１のＵＥ及び／又は第２のＵＥは、上記基地局にＰ２Ｐ終了通知を送ることができる（ステップ１８）。上記基地局は、上記複数ＵＥに割り当てられた免許不要チャンネルがＰ２Ｐ通信用に他の複数ＵＥに割り当てられることができるように、それを解放することができる（ステップ１９）。プロセス２００の上記ステップの幾つかは、以下でさらに詳細に説明される。
【００４６】
一設計においては、基地局は、死んでいるＰ２Ｐリンクを検出するために、タイムアウト手順を採用することができる。上記基地局は、図２のステップ１１ａ及び１１ｂにおいて上記割り当てられた免許不要チャンネルが上記第１及び第２のＵＥに送信されたときに、タイマを起動することができる。上記基地局は、たとえＰ２Ｐ終了通知が上記複数ＵＥから受信されない場合であっても、上記タイマが満了したときには、上記割り当てられた免許不要チャンネルを解放することができる。上記複数ＵＥは、上記基地局への上記アップリンクのためのカバレッジの突然の欠如など、様々な理由のため、Ｐ２Ｐ終了通知を送信しない場合があり得る。上記タイムアウト手順は、上記基地局に、死んでいるＰ２Ｐリンクに割り当てられた免許不要チャンネルを再利用することを許すことができる。
【００４７】
ある基地局は、様々な基準に基づいて、（例えば、図２のステップ９で）Ｐ２Ｐ通信用に複数ＵＥのグループに割り当てるための免許不要チャンネルを選択することができる。上記選択された免許不要チャンネルは、適用可能な規制に従わなければならず、プライマリユーザが検出されるチャンネルであってはならない。上記選択された免許不要チャンネルは、当該チャンネルを使用する複数セカンダリユーザからの過度の干渉があってはならない。上記選択された免許不要チャンネルは、複数ＵＥ間のＰ２Ｐリンクのための許容可能なチャンネル品質を持たなければならない。上記チャンネル品質は、上記選択された免許不要チャンネルの中心周波数に順次依存し得る、経路損失とシャドウイングに依存することができる。上記選択された免許不要チャンネルは、上記複数ＵＥの能力によってサポートされなければならず、例えば、複数ＵＥによってサポートされる上記免許不要チャンネルの間でなければならない。上記選択された無免認可チャンネルはまた、それらが（上記複数ＵＥと上記基地局との間の複数アクセスリンクのための）同時に認可チャンネルと（上記複数ＵＥ間のＰ２Ｐリンクのための）免許不要チャンネルとでの通信をサポートしている場合には、複数ＵＥに割り当てられることができる。上記選択された免許不要チャンネルはまた、上記基地局のカバレッジ下で進行中の異なる複数Ｐ２Ｐリンク間の過度の干渉を回避しなければならない。具体的には、上記基地局は、Ｐ２Ｐ通信用の複数ＵＥの異なるグループが互いに干渉するほど十分に近くであれば、複数ＵＥのこれらの異なるグループに同じ免許不要チャンネルを割り当てることを回避することができる。また、上記基地局は、他の基準に基づいて、Ｐ２Ｐ通信用に、グループの複数ＵＥに割り当てるための免許不要チャンネルを選択することができる。一般的には、上記基地局は、良好なパフォーマンスが全てのＵＥのためのＰ２Ｐ通信用に達成されることができるように、複数ＵＥの各グループに割り当てるために、利用可能な最善の免許不要チャンネルを選択することができる。
【００４８】
一設計においては、基地局は、複数Ｐ２Ｐ接続要求が複数ＵＥから受信されたか否かにかかわらず、一つ又は複数の免許不要チャンネルを定期的に監視することができる。また、上記基地局は、それら割り当てられた複数免許不要チャンネル及び／又は他の複数免許不要チャンネルを監視することと、当該基地局に監視結果を報告することと、をその複数ＵＥに要求することができる。上記基地局及び上記複数ＵＥは、典型的に異なる場所にあり、したがって、異なるモニタリング結果を持つことができる。上記基地局は、その複数監視結果及び／又は上記複数ＵＥによって報告された複数監視結果に基づいて、利用可能な複数免許不要チャンネルのそのリストを更新することができる。Ｐ２Ｐ通信用に複数ＵＥのグループに割り当てられた免許不要チャンネルがプライマリ及び／又はセカンダリユーザによって占有されたものとみなされた場合には、上記基地局は、Ｐ２Ｐ通信用の上記複数ＵＥのグループについての上記リストに、新しい免許不要チャンネルを割り当てることができる。
【００４９】
一設計においては、基地局は、そのカバレッジ下のアクティブな複数Ｐ２Ｐリンクのリストを維持することができる。また、上記基地局は、各Ｐ２Ｐリンクに割り当てられた上記免許不要のチャンネル、各Ｐ２Ｐリンクの位置、等々を格納することができる。上記基地局は、別の複数Ｐ２Ｐリンクが互いに干渉しないことを確実にするために、アクティブな複数Ｐ２Ｐリンクと、関連する割り当てられた複数免許不要チャンネルと、（可能な場合には）複数位置と、のリストを使用することができる。上記基地局は、上記様々なＰ２Ｐリンクにおける複数ＵＥによって定期的に報告される複数干渉推定値を受け取ることができ、該複数干渉推定値を考慮して各Ｐ２Ｐリンクに割り当てるための免許不要チャンネルを選択することができる。
【００５０】
ネットワークアシスト型Ｐ２Ｐ通信の場合、上記複数ＵＥは、例えば図２で上述したように、Ｐ２Ｐ通信を確立して維持するために、それら複数サービング基地局と通信することができる。上記複数ＵＥとそれら複数サービング基地局との間の通信は、様々な方法でサポートされることができる。一設計においては、ＵＥは、認可チャンネルでそのサービング基地局と、及び、免許不要チャンネルで他のＵＥ（複数可）と、通信することができる。上記複数ＵＥが一つの送信機と一つの受信機とを含む単一のトランシーバを搭載されている場合には、上記複数ＵＥは、定期的にＰ２Ｐ通信を中断し、上記認可チャンネルにそのトランシーバを調整し、（例えば、センシング結果、エラーイベント、等々を報告するために）必要な機能のためにそのサービング基地局と通信し、上記免許不要チャンネルにそのトランシーバを戻して、Ｐ２Ｐ通信を再開することができる。従って、Ｐ２Ｐ通信及びＷＡＮ通信は時分割多重されることができ、上記ＵＥは、上記ＵＥがそのサービング基地局と通信する時間間隔を示す間欠受信（ＤＲＸ）パターンを有することができる。上記ＵＥが二つのトランシーバを搭載される場合には、上記ＵＥは、上記認可チャンネルで上記サービング基地局と通信のための一つのトランシーバと、上記免許不要チャンネルで他のＵＥ（複数可）と通信するための他のトランシーバと、を使用することができる。これは、上記ＵＥに、Ｐ２Ｐ通信を行わせることと同時に、上記サービング基地局とデータ及び／又は制御シグナリングを活発に交換する（例えば、送信及び／又は受信する）ことを許すだろう。
【００５１】
Ｐ２Ｐ通信用に複数ＵＥのグループに割り当てられた免許不要チャンネルが使用できなくなったときには、潜在的に長い機能停止期間が発生することがあり得る。上記長い機能停止期間は、上記機能停止を検出し、サービング基地局に通知し、そして、上記基地局がＰ２Ｐ通信の用途のため上記複数ＵＥに新しく割り当てられた免許不要チャンネルを送信するのを待つために、上記複数ＵＥによって費やされる時間の量によることができる。
【００５２】
別の態様では、基地局は、Ｐ２Ｐ通信用に複数ＵＥのグループによって使用され得る（単一の免許不要チャンネルの代わりに）複数無免許チャンネルのリストを提供することができる。上記リストに含める免許不要チャンネルの数は、上記基地局で現在サポートされているＰ２Ｐリンクの数、複数プライマリユーザまたは他の複数Ｐ２Ｐリンクと干渉しないような十分な品質を持つ免許不要ライセンスチャンネルの数、上記複数データ要件及び／又は複数ＵＥの優先順位、等々、などの様々な要因に依存され得る。上記複数ＵＥは、最初に、Ｐ２Ｐ通信用の上記リスト内の一免許不要チャンネルを使用することができる。上記使用された免許不要チャンネルが何らかの理由で使用できなくなった場合、上記複数ＵＥは、上記基地局にエラー発生を報告し且つ当該基地局によって割り当てられる別の免許不要チャンネルを待つことなしに、上記リスト内の別の免許不要チャンネルに自動的に切り替えることができる。従って、上記複数ＵＥが別の免許不要チャンネルに直ちに切り替えることができるので、複数免許不要チャンネルの上記リストの上記割り当ては、機能停止期間を減らすことができる。
【００５３】
一設計では、複数免許不要チャンネルの上記リストは、最初に割り当てられた免許不要チャンネルと、一つ又は複数のバックアップ免許不要チャンネルと、を含むことができる。この設計では、上記複数ＵＥは、Ｐ２Ｐ通信用に上記最初に割り当てられた免許不要チャンネルを使用することができ、上記最初に割り当てられた免許不要チャンネルが利用不可になったときには、上記複数バックアップ免許不要チャンネルの一つに切り替えることができる。別の設計では、このリストは、上記複数ＵＥによってＰ２Ｐ通信に使用されることができる、複数免許不要チャンネルを含むことができる。その後、上記複数ＵＥは、Ｐ２Ｐ通信用の上記リスト内の上記複数免許不要チャンネルの何れか一つを使用することができる。
【００５４】
一設計では、複数免許不要無チャンネルの上記リストは、例えば、最も好ましい免許不要チャンネルで開始し、最も好ましくない免許不要チャンネルで終わる、好みの順にソートされることができる。この設計では、現在用いられている免許不要チャンネルが利用できなくなったときに、上記リスト内の上記最も好ましい（例えば、最初または次の）免許不要チャンネルが使用のために選択されることができる。別の設計では、上記リストは不一致であり得、上記リスト内のそれらの中から使用するために開かれている最高の免許不要チャンネルを決定するために、上記リスト内の上記複数免許不要チャンネルが評価されることができる。
【００５５】
一設計においては、ＵＥは、バックアップ免許不要チャンネルへの切り替えを、そのサービング基地局に通知することができる。そして、上記基地局は、Ｐ２Ｐ通信用に上記ＵＥに免許不要チャンネルを割り当てることができ、及び／又は、上記ＵＥに複数免許不要チャンネルの新しいリストを送信することができる。上記ＵＥは、（上記基地局から提供された場合）新しく割り当てられた免許不要チャンネルに切り替えることができ、（必要な場合及び必要なとき）複数免許不要チャンネルの上記新しいリストを使用することができる。
【００５６】
一設計においては、ＵＥは、上記リスト内のすべての免許不要チャンネルがＰ２Ｐ通信用に使用のために利用できないとき、そのサービング基地局に通知することができる。この場合、上記サービング基地局は、（利用可能な場合）ある新しい免許不要チャンネルを割り当てることができ、該新たに割り当てられた免許不要チャンネルをＰ２Ｐ通信に関わる全てのＵＥに通知することができる。その後、上記複数ＵＥは、上記新しく割り当てられた免許不要チャンネルへのハンドオーバを実行することができる。あるいは、上記基地局は、上記ＵＥのためのＷＡＮ通信を選択することができ、Ｐ２Ｐ通信からＷＡＮ通信への上記切り替えを全関係ＵＥに通知することができる。
【００５７】
上記の説明の多く（例えば、図２に示されたプロセス）は、Ｐ２Ｐ通信に関係するすべてのＵＥが同じサービング基地局を持つことを前提としている。この基地局は、免許不要チャンネルがセンシングされること及び免許不要チャンネルが上記複数ＵＥによってＰ２Ｐ通信に使用されること、に関するすべての決定を下すことができる。
【００５８】
さらに別の態様では、複数基地局のセットは、これらの基地局のカバレッジ下の複数ＵＥのためのＰ２Ｐ通信をサポートするために協働することができる。複数基地局間の協働は、異なる複数基地局のカバレッジ下ではあるが、互いに干渉するのに十分であるほど近い、アクティブな複数Ｐ２Ｐリンク間の干渉を避けるために役立つことができる。複数基地局間の協働はまた、異なる複数基地局のカバレッジ下の複数ＵＥ（例えば、図１のＵＥ  １２０ｅ及び１２０ｆ）間でのＰ２Ｐ通信をサポートするのに役立つことができる。
【００５９】
一設計では、複数基地局のセットは、これら複数基地局のカバレッジ下でＰ２Ｐ通信を行っている全てのＵＥによって使用されるために、複数免許不要チャンネルの適切な周波数プランを決定するために協働することができる。この周波数プランは、様々なフォーマットで与えられることができる。一設計では、上記周波数プランは、各基地局のための複数免許不要チャンネルのセットを含むことができる。各基地局は、Ｐ２Ｐ通信用にその複数ＵＥに、そのセット内の複数免許不要チャンネルを、例えば、各Ｐ２Ｐグループに対し、割り当てられた一つの免許不要チャンネルまたは複数免許不要チャンネルの一つのリストを、割り当てることができる。異なる複数基地局のカバレッジ下に位置する複数ＵＥのグループについては、免許不要チャンネルまたは複数免許不要チャンネルのリストが、複数ＵＥの上記グループのためのＰ２Ｐサーバとして指定されたＵＥのサービング基地局によって、複数ＵＥの上記グループに割り当てることができる。
【００６０】
異なる複数基地局は、異なる複数Ｐ２Ｐリンク間の干渉に応じて、複数免許不要チャンネルの重複する又は重複しないセットを持つことができる。例えば、（ｉ）図１の基地局１１０ｂのカバレッジ下のＵＥ  １２０ｃと１２０ｄとの間のＰ２Ｐ通信と、（ｉｉ）基地局１１０ｃのカバレッジ下のＵＥ  １２０ｇ、１２０ｈ及び１２０ｉの間のＰ２Ｐ通信と、のために同じ免許不要チャンネルが使用されることができ、これは、複数ＵＥのこれら２つのセットが十分に遠い部分であり、互いに最低限しか干渉しないからである。そして、この同じ免許不要チャンネルは、複数基地局１１０ｂと１１０ｃのための複数免許不要チャンネルの上記２つのセットに含まれることができる。
【００６１】
複数基地局の上記セットのための上記周波数プランは、単一の基地局の場合のためには、上述の基準に基づいて決定されることができる。上記周波数プランはまた、隣接する複数基地局のカバレッジ下での複数ＵＥの異なる複数グループによって継続中のＰ２Ｐ通信（即ち、隣接する複数基地局のＰ２Ｐ負荷）を考慮することによって、決定されることもできる。上記周波数プランは、様々な方法で決定されることができる。
【００６２】
一設計では、分散型動的周波数選択が用いられることができ、複数基地局の上記セットは、上記周波数プランを共同で決定するために（例えば、バックホールを介して）通信することができる。一設計では、上記分散型動的周波数選択は、メッセージパッシング方式に基づくことができる。この方式では、各基地局は、（例えば、バックホールを介して）一つ又は複数の隣接基地局に（例えば、定期的に、または、特定のイベントによってトリガされたときに）メッセージを送信することができる。上記メッセージは、そのカバレッジ下の複数Ｐ２Ｐリンクで現在使用されている上記複数免許不要チャンネル、そのカバレッジ下の複数ＵＥからの複数センシング結果、ＵＥの複数能力、（例えば、異なる複数基地局に属する複数ＵＥからの）新しい複数Ｐ２Ｐ通信要求、ＵＥの複数優先順位、等々、などの関連情報を含むことができる。各基地局は、プライマリ及びセカンダリユーザによって占有されていない複数免許不要チャンネルのセットを決定することができる。各基地局はまた、複数隣接基地局のカバレッジ下のＰ２Ｐリンクで使用されており、それ故にＰ２Ｐ通信用に、その基地局のカバレッジ下の幾つか又はすべてのＵＥへの割り当てに利用できないかもしれない、複数免許不要チャンネルを決定することができる。そして、各基地局は、（ｉ）Ｐ２Ｐ通信用にその複数ＵＥに割り当てられることができる複数免許不要チャンネルのセットと、（ｉｉ）おそらく、各免許不要チャンネルが割り当てられることができる領域と、を決定することができる。各基地局はまた、他の方法で複数免許不要チャンネルのそのセットを決定することもできる。
【００６３】
複数メッセージは、例えば数百ミリ秒（ｍｓ）オーダの、認知動作の大きなタイムスケールのため、複数基地局間で比較的稀なレートで交換されることができる。各Ｐ２Ｐリンクが少なくとも一つのバックアップ免許不要チャンネルを備えている場合には、複数メッセージは、より少ない頻度で交換されることができる。この場合には、所与のＰ２Ｐリンクに最初に割り当てられた免許不要チャンネルが突然使用できなくなった場合であってさえも、より優れたパフォーマンスを提供することができる、より最適化された免許不要チャンネルの新規割り当てを、分散アルゴリズムが見つけ出すまで、バックアップ免許不要チャンネルが使用されることができる。
【００６４】
別の設計では、中央集中型周波数選択が使用されることができ、指定されたネットワークエンティティ（例えば、基地局やネットワークコントローラ）は、複数基地局のセットから適切な情報を受信して、これら複数基地局の周波数プランを決定することができる。各基地局は、（例えば、定期的に、または、特定のイベントによってトリガされたときに）上記指定されたネットワークエンティティに、複数メッセージを送信することができる。上記複数メッセージは、例えば上述のように、適切な情報を含むことができる。上記指定されたネットワークエンティティは、すべての複数基地局から受信した上記適切な情報に基づいて、各基地局のための複数免許不要チャンネルのセットを決定することができる。
【００６５】
Ｐ２Ｐ通信をサポートするための上記複数基地局間の協働は、様々な条件に基づいてトリガされることができる。一設計では、異なる複数基地局のカバレッジ下の二つ以上のＰ２Ｐリンクが互いの一方に干渉するとき、このような協働がトリガされることができる。別の設計では、異なる複数基地局に関連付けられた二つ以上のＵＥがＰ２Ｐ通信を確立することを望むときに、このような協働がトリガされることができる。協働すべきである複数基地局の上記セットは、上記複数ＵＥによって報告された測定値、上記複数ＵＥの関連、等々に基づいて決定されることができる。
【００６６】
さらに別の態様では、Ｐ２Ｐ通信は、認可チャンネルと同様に免許不要チャンネルでサポートされることができる。Ｐ２Ｐ通信用の認可チャンネルと免許不要チャンネルの両方の使用は、キャリアアグリゲーションと称されることもある。一設計では、上記認可チャンネルの幾つかのリソースは、Ｐ２Ｐ通信用に割り当てられることができ、アップリンクのための幾つかのリソースブロック及び／又は他のリソースを含むことができる。Ｐ２Ｐ通信用に割り当てられた上記複数リソースは、ＷＡＮ通信のための定期的な複数アップリンク伝送に時間的に割り込まれることができる。
【００６７】
認可チャンネルと免許不要チャンネルの両方が、様々な方法で、Ｐ２Ｐ通信に使用されることができる。上記免許不要チャンネルは、上記認可チャンネルが高い信頼性での低データ伝送容量を提供するのに対して、予測不可能な信頼性での高データ伝送容量を提供することができる。一設計では、シグナリングは、より良好な信頼性を持つ上記認可チャンネルで送信されることができ、データは、より高い容量を持つ上記免許不要チャンネルで送信されることができる。別の設計では、より高い優先順位のデータ及びシグナリングは、上記認可チャンネルで送信されることができ、残りのデータは、上記免許不要チャンネルで送信されることができる。さらに別の設計では、パフォーマンスの低下や機能停止が検出され、その後、上記認可チャンネルで送信されることができる限り、データ及びシグナリングは、上記免許不要チャンネルで送信されることができる。上記認可及び免許不要チャンネルはまた、他の方法でＰ２Ｐ通信用に使用されることもできる。
【００６８】
Ｐ２Ｐ通信用の認可及び免許不要チャンネルの両方の使用は、様々な利点を提供することができる。まず第１に、Ｐ２Ｐ通信用に上記認可チャンネルの幾つかのリソースを使用することによって、向上した信頼性が得られることができる。第２に、上記免許不要チャンネルが使用できなくなったとき、待ち時間が減少させられることができる。このようなシナリオでは、Ｐ２Ｐ通信は、上記認可チャンネルの上記割り当てられたリソース上で、維持されることができる。サービス機能停止は、上記免許不要チャンネルの損失が有ってさえもＰ２Ｐ通信用に回避されることができ、ある新しい免許不要チャンネルが上記複数ＵＥに割り当てられるまで、スループットパフォーマンスの低下のみが上記複数ＵＥによって遭遇されることができる。
【００６９】
さらに別の態様では、基地局は、一つ又は複数の予約された免許不要チャンネルで、複数ダミー信号を送信することができる。予約された免許不要チャンネルは、何れのプライマリユーザによっても使用されておらず、且つ、まだＰ２Ｐ通信用に割り当てられていない、免許不要チャンネルである。上記複数ダミー信号は、上記複数免許不要チャンネルで通常に送信する信号のようであることができる（例えば、信号の主要な特性を有することができる）。例えば、上記ダミー信号は、適当なレートでランダム変調を適用された、単一キャリア信号を備えることができる。上記ダミー信号は、上記予約された複数免許不要チャンネルを占有し、該複数免許不要チャンネルから他の無線技術の他のデバイスを追い払うために、用いられることができる。Ｐ２Ｐ接続要求がＵＥから受信されたとき、上記基地局は、Ｐ２Ｐ通信用の上記ＵＥへの割り当てのための一つの予約された免許不要チャンネルを選択することができ、該選択された免許不要チャンネル上にダミー信号を送信することを停止することができる。
【００７０】
図３は、ネットワーク支援を受けて免許不要スペクトルでピアツーピア通信を行うためのプロセス３００の設計を示している。プロセス３００は、（以下で説明するような）第１のＵＥによって、或いは、何か別のエンティティによって、実行されることができる。上記第１のＵＥは、ＷＡＮに対して認可されていない、第１の周波数帯域で、少なくとも一つの他のＵＥとのＰ２Ｐ通信を確立するために、上記ＷＡＮ（例えば、サービング基地局）と通信することができる（ブロック３１２）。上記第１の周波数帯域は、ＴＶホワイトスペーススペクトル、或いは、何か別の周波数帯域に対応することができる。その後は、上記第１のＵＥは、上記第１の周波数帯域で上記少なくとも一つの他のＵＥとピアツーピア通信することができる（ブロック３１４）。上記第１のＵＥは、上記少なくとも一つの他のＵＥとのＰ２Ｐ通信を維持するために、上記ＷＡＮと通信することができる（ブロック３１６）。上記第１のＵＥは、上記ＷＡＮが認可されている第２の周波数帯域で上記ＷＡＮと通信することができる。従って、上記第１のＵＥは、異なる認可及び免許周波数帯域で、上記ＷＡＮ及び他のＵＥ（複数可）と通信することができる。
【００７１】
ブロック３１２の一設計では、上記第１のＵＥは、上記ＷＡＮへのＰ２Ｐ通信用の要求（例えば、Ｐ２Ｐ接続要求）を送信することができる。その後は、上記第１のＵＥは、Ｐ２Ｐ通信に使用するための上記第１の周波数帯域内の少なくとも一つの周波数チャンネルで受信することができる。一設計では、上記第１のＵＥは、第１の周波数帯域の認可及び／又は免許不要ユーザによる一つ又は複数の周波数チャンネルの使用を検出するために、上記第１の周波数帯域内の一つ又は複数の周波数チャンネルをセンシングすることができる。上記第１のＵＥによってセンシングするための上記一つ又は複数の周波数チャンネルは、（例えば、図２に示すような）上記ＷＡＮから受信されることができ、或いは、上記第１のＵＥによって決定されることができる。上記第１のＵＥは、上記ＷＡＮに、複数センシング結果を送信することができる。Ｐ２Ｐ通信用に上記第１のＵＥに割り当てられた上記少なくとも一つの周波数チャンネルは、上記複数センシング結果に基づいて選択されることができる。
【００７２】
一設計では、上記第１のＵＥは、当該第１のＵＥによってＰ２Ｐ通信用に使用のために利用可能である、上記第１の周波数帯域の周波数チャンネルのリストを、上記ＷＡＮから受信ことができる。上記第１のＵＥは、上記リスト内の第１の周波数チャンネルで、上記少なくとも一つの他のＵＥとピアツーピア通信することができる。上記第１のＵＥは、上記第１の周波数チャンネルでのパフォーマンスの低下、即ち、上記第１の周波数帯域の少なくとも一つの認可ユーザによる上記第１の周波数チャンネルの使用、を検出することができる。そして、上記第１のＵＥは、上記リスト内の第２の周波数チャンネルへの上記第１の周波数チャンネルからのハンドオーバを実行することができる。上記第１のＵＥは、上記第２の周波数チャンネルへの上記第１の周波数チャンネルからのハンドオーバの指示を、ＷＡＮへ送信することができる。その後は、上記第１のＵＥは、上記第１の周波数帯域内であって、上記第１のＵＥによるＰ２Ｐ通信用に使用のために利用可能な周波数チャンネルの更新されたリストを上記ＷＡＮから受信することができる。
【００７３】
一設計では、上記第１のＵＥは、上記第１の周波数帯域でのＰ２Ｐ通信障害を検出することができ、上記ＷＡＮにＰ２Ｐ通信障害の通知を送信することができる。一設計では、上記第１のＵＥは、上記ＷＡＮからＰ２Ｐ通信を終了するための指示を受信することができ、当該受信された指示に応答してＰ２Ｐ通信を終了することができる。別の設計では、上記第１のＵＥは、Ｐ２Ｐ通信障害を検出することに応答して、Ｐ２Ｐ通信からＷＡＮ通信に切り替えることができる。さらに別の設計では、上記第１のＵＥは、上記第２の周波数帯域でＰ２Ｐ通信を継続するための指示を受信することができ、その後、当該受信された指示に応答して上記第２の周波数帯域でＰ２Ｐ通信を継続することができる。
【００７４】
一設計では、上記第１のＵＥは、例えば、キャリアアグリゲーションについて上述したように、上記第２の周波数帯域でまた、上記少なくとも一つの他のＵＥとピアツーピア通信することができる。
【００７５】
上記第２の周波数帯域でのＰ２Ｐ通信は、上記第１の周波数帯域でのＰ２Ｐ通信よりも、信頼性が高いことができるが、低い容量しか持つことができない。上記第２の周波数帯域でのＰ２Ｐ通信の上記より低い容量は、主に、例えばサブフレームやサブパーティション化を通した、複数Ｐ２Ｐリンクと複数アクセスリンクとの間で共有されている上記第２の周波数帯域によることができる。
【００７６】
図４は、センシングを使用して免許不要スペクトルでピアツーピア通信を行うためのプロセス４００のある設計を示している。プロセス４００は、（以下で説明するような）第１のＵＥによって、或いは、何か別のエンティティによって、実行されることができる。上記第１のＵＥは、ＷＡＮに対して認可されていない周波数帯域中の少なくとも一つの周波数チャンネルで、少なくとも一つの他のＵＥとピアツーピア通信することできる（ブロック４１２）。上記第１のＵＥは、上記周波数帯域の少なくとも一つの認可ユーザによる上記少なくとも一つの周波数チャンネルの使用を検出するために、上記少なくとも一つの周波数チャンネルを監視することができる（ブロック４１４）。上記第１のＵＥは、上記少なくとも一つの認可ユーザによる上記少なくとも一つの周波数チャンネルの使用が検出されたときには、上記少なくとも一つの周波数チャンネルでのＰ２Ｐ通信を終了することができる（ブロック４１６）。上記第１のＵＥはまた、複数免許不要ユーザ及び／又はパフォーマンスの低下が検出されたときにも、上記少なくとも一つの周波数チャンネルでのＰ２Ｐ通信を終了することができる。
【００７７】
一設計では、上記周波数帯域でＰ２Ｐ通信を確立する前に、上記第１のＵＥは、上記一つ又は複数の周波数チャンネルの使用を検出するために、上記周波数帯域内の一つ又は複数の周波数チャンネルをセンシングすることができる。上記第１のＵＥは、上記ＷＡＮに、複数センシング結果を送信することができる。Ｐ２Ｐ通信用に上記第１のＵＥに割り当てられる上記少なくとも一つの周波数チャンネルは、上記第１のＵＥからの上記複数センシング結果だけでなく、他の情報に基づいて、選択されることができる。
【００７８】
ブロック４１４の一設計では、上記第１のＵＥは、少なくとも一つの認可ユーザによる上記少なくとも一つの周波数チャンネルの使用を検出するために、上記周波数帯域の上記少なくとも一つの認可ユーザによって送信された少なくとも一つの信号の少なくとも一つの特性をセンシングすることができる。上記第１のＵＥは、Ｐ２Ｐ通信がアクティブである間、上記少なくとも一つの周波数チャンネルを、定期的に（例えば、ある特定の期間の各時間間隔で）センシングすることができる。
【００７９】
一設計では、上記第１のＵＥは、認可及び／又は免許不要ユーザによる上記少なくとも一つの周波数チャンネルの使用が検出されたときには、上記周波数帯域内の少なくとも一つの他の周波数チャンネルへの上記少なくとも一つの周波数チャンネルからのハンドオーバを実行することができる。別の設計では、上記第１のＵＥは、上記少なくとも一つの周波数チャンネルの使用が検出されたときには、Ｐ２Ｐ通信からＷＡＮ通信に切り替えることができる。さらに別の設計では、上記第１のＵＥは、上記少なくとも一つの周波数チャンネルでのパフォーマンスの低下（例えば、機能停止）を検出することができ、その後、（ｉ）少なくとも一つの他の周波数チャンネルへの上記少なくとも一つの周波数チャンネルからのハンドオーバを実行する、または、（ｉｉ）Ｐ２Ｐ通信からＷＡＮ通信に切り替える、ことができる。
【００８０】
図５は、ある免許不要スペクトル上でピアツーピア通信を行うためのプロセス５００の設計を示している。プロセス５００は、（以下で説明するような）第１のＵＥによって、或いは、何か別のエンティティによって、実行されることができる。上記第１のＵＥは、上記第１のＵＥによるＰ２Ｐ通信用に使用のために利用可能である複数周波数チャンネルの上記リストを使用して、ＷＡＮに対して認可されていない周波数帯域内の複数周波数チャンネルのリストを受信することができる（ブロック５１２）。上記第１のＵＥは、上記リスト内の第１の周波数チャンネルで、少なくとも一つの他のＵＥとピアツーピア通信することができる（ブロック５１４）。上記第１のＵＥは、上記リスト内の第２の周波数チャンネルへの上記第１の周波数チャンネルからのハンドオーバを実行すると決めることができる（ブロック５１６）。上記第１のＵＥは、上記第２の周波数チャンネルへの上記第１の周波数チャンネルからのハンドオーバを実行することができ（ブロック５１８）、その後、上記第２の周波数チャンネルで上記少なくとも一つの他のＵＥとピアツーピア通信することができる。
【００８１】
ブロック５１６の一設計では、上記第１のＵＥは、上記周波数帯域の少なくとも一つの認可ユーザによる上記第１の周波数チャンネルの使用を検出することができ、そのような使用の検出に応答してハンドオーバを実行すると決めることができる。別の設計では、上記第１のＵＥは、上記周波数帯域の少なくとも一つの免許不要ユーザから、上記第１の周波数チャンネルでの強い干渉を検出することができ、強い干渉の検出に応答してハンドオーバを実行すると決めることができる。さらに別の設計では、上記第１のＵＥは、上記第１の周波数チャンネルでのパフォーマンスの低下（例えば、機能停止）を検出することができ、パフォーマンスの低下を検出することに応答してハンドオーバを実行すると決めることができる。上記第１のＵＥはまた、その他の理由により、ハンドオーバを実行すると決めることができる。
【００８２】
一設計では、上記リストは、優先順位の順序にソートされた複数の周波数チャンネルを含むことができる。そして、上記第１及び第２の周波数チャンネルは、上記優先順位の順序に基づいて選択されることができる。別の設計では、上記第１のＵＥは、上記リスト内の各利用可能な周波数チャンネルを評価することができ、より良いパフォーマンス（例えば、より良いチャンネル品質）のために、上記第２の周波数チャンネルを選択することができる。
【００８３】
上記第１のＵＥは、上記リスト内のどの周波数チャンネルもＰ２Ｐ通信用に使用のために利用できないと判断することができ、利用可能な周波数チャンネル無しという通知を上記ＷＡＮに送信することができる。一設計では、上記第１のＵＥは、その後、Ｐ２Ｐ通信用に使用できる、上記周波数帯域内の、複数周波数チャンネルの新しいリストを、上記ＷＡＮから受信することができる。そして、上記第１のＵＥは、Ｐ２Ｐ通信用の上記新しいリスト内の周波数チャンネルに切り替えることができる。別の設計では、上記第１のＵＥは、Ｐ２Ｐ通信からＷＡＮ通信に切り替えるための指示を受信することができ、この場合には、上記指示に応答してＷＡＮ通信に切り替えることができる。さらに別の設計では、上記第１のＵＥは、上記ＷＡＮ用の認可周波数帯域での幾つかのリソースの割り当てを上記ＷＡＮから受信することができ、これらのリソースでＰ２Ｐ通信を継続することができる。
【００８４】
図６は、ネットワーク支援を用いて、免許不要スペクトルでのＰ２Ｐ通信をサポートするためのプロセス６００の設計を示している。プロセス６００は、（以下で説明するような）ＷＡＮ中のネットワークエンティティによって、或いは、また別のエンティティによって、実行されることができる。上記ネットワークエンティティは、上記ＷＡＮに対して認可されていない第１の周波数帯域で、第１のＵＥと少なくとも一つの他のＵＥとの間のＰ２Ｐ通信を確立するために、上記第１のＵＥと通信することができる。上記ネットワークエンティティはまた、上記第１のＵＥと上記少なくとも一つの他のＵＥとの間でのＰ２Ｐ通信を維持するために、上記第１のＵＥと通信することもできる（ブロック６１４）。上記ネットワークエンティティは、上記第１のＵＥの、或いは、何か別のエンティティの、サービング基地局であることができる。上記ネットワークエンティティは、上記ＷＡＮが認可されている、第２の周波数帯域で、上記第１のＵＥと通信することができる。
【００８５】
ブロック６１２の一設計では、上記ネットワークエンティティは、上記第１のＵＥから、Ｐ２Ｐ通信用の要求を受信することができる。上記ネットワークエンティティは、上記第１の周波数帯域の認可ユーザによって使用されていない、上記第１の周波数帯域内の複数周波数チャンネルの中から、Ｐ２Ｐ通信用に上記第１のＵＥに割り当てるために少なくとも一つの周波数チャンネルを選択することができる。上記少なくとも一つの周波数チャンネルは、上記第１の周波数帯域の複数免許不要ユーザからの干渉、或いは、Ｐ２Ｐ通信用の上記少なくとも一つの周波数チャンネルを割り当てられた他の複数ＵＥからの干渉、或いは、上記第１のＵＥによって推定された上記少なくとも一つの周波数のチャンネル品質、或いは、上記第１のＵＥの複数能力、或いは、それらの組み合わせ、などの様々な要因に基づいて選択されることができる。上記ネットワークエンティティは、Ｐ２Ｐ通信用に使用するため、上記第１のＵＥに、上記少なくとも一つの周波数チャンネルを送信することができる。
【００８６】
一設計では、上記ネットワークエンティティは、上記第１のＵＥ（及び、ことによると上記少なくとも一つの他のＵＥ）から、上記第１の周波数帯域内の一つ又は複数の周波数チャンネルのためのセンシング結果を受信することができる。上記一つ又は複数の周波数チャンネルは、上記ネットワークエンティティによって決定されることができ、上記第１のＵＥによってセンシングされるべき複数周波数チャンネルのセット内の上記第１のＵＥに送信されることができる。上記一つ又は複数の周波数チャンネルはまた、上記第１のＵＥによって決定されることもできる。上記ネットワークエンティティは、上記第１のＵＥからの上記複数センシング結果に基づいて、Ｐ２Ｐ通信用に上記第１のＵＥに割り当てるために、上記少なくとも一つの周波数チャンネルを選択することができる。
【００８７】
一設計では、上記ネットワークエンティティは、上記第１の周波数帯域内で且つ上記第１のＵＥによってＰ２Ｐ通信用に利用可能な、複数周波数チャンネルの第１のリストを送信することができる。上記第１のＵＥは、上記第１のリスト内の第１の周波数チャンネルで、上記少なくとも一つの他のＵＥとピアツーピア通信することができる。上記ネットワークエンティティは、上記第１のリスト内の第２の周波数チャンネルへの上記第１の周波数チャンネルからのハンドオーバの指示を、上記第１のＵＥから受信することができる。そして、上記ネットワークエンティティは、上記第１の周波数帯域内で且つ上記第１のＵＥによるＰ２Ｐ通信用に利用可能な、複数周波数チャンネルの第２のリストを送信することができる。
【００８８】
一設計では、上記ネットワークエンティティは、上記第１のＵＥの場所、または、上記ネットワークエンティティの場所、或いはその両方に基づいて、上記第１の周波数帯域内で且つＰ２Ｐ通信用に利用可能な、複数周波数チャンネルのセットを決定することができる。例えば、上記ネットワークエンティティは、上記第１の周波数帯域内で且つ異なる複数位置での免許不要使用のために利用可能な複数周波数チャンネルを含む、ジオロケーションデータベースに基づいて、複数周波数チャンネルの上記セットを決定することができる。上記ネットワークエンティティは、Ｐ２Ｐ通信用に利用可能な周波数チャンネルの上記セットに基づいて、Ｐ２Ｐ通信用に上記第１のＵＥに割り当てるための少なくとも一つの周波数チャンネルを選択することができる。一設計では、上記ネットワークエンティティは、例えば、そのカバレッジ下での複数ＵＥからの干渉推定に基づいて、上記第１の周波数帯域内で且つＰ２Ｐ通信用に利用可能な複数周波数チャンネルの上記セット及びピアツーピア通信を更新することができる。
【００８９】
一設計では、上記ネットワークエンティティは、ピアツーピアで通信する複数ＵＥのグループに対応する各Ｐ２Ｐリンクで、そのカバレッジ下の複数Ｐ２Ｐリンクのリストを、維持することができる。上記ネットワークエンティティはまた、上記第１の周波数帯域内で且つＰ２Ｐリンクの上記リストを使用する、複数周波数チャンネルのリストを維持することもできる。上記ネットワークエンティティは、複数Ｐ２Ｐリンクの上記リストと上記第１の周波数帯域内の利用可能な複数周波数チャンネルとを使用する、複数周波数チャンネルの上記リストに基づいて、Ｐ２Ｐ通信用に上記第１のＵＥに割り当てるために、上記第１の周波数帯域内の少なくとも一つの周波数チャンネルを選択することができる。
【００９０】
一設計では、キャリアアグリゲーションのために、上記ネットワークエンティティは、Ｐ２Ｐ通信用に上記第１のＵＥに対し、上記ＷＡＮが認可されている第２の周波数帯域内で複数リソースを割り当てることができる。上記第２の周波数帯域内の上記割り当てられたリソースでのＰ２Ｐ通信は、上記第１の周波数帯域でのＰ２Ｐ通信よりも、信頼性が高いかもしれないが、低い容量しか持つことができない。
【００９１】
上記ネットワークエンティティは、上記第１のＵＥから、Ｐ２Ｐ通信障害の指示を受信することができる。一設計では、上記ネットワークエンティティは、上記第１のＵＥによって、Ｐ２Ｐ通信用に使用するための上記第１の周波数帯域内の少なくとも一つの他の周波数チャンネルを送信することができる。別の設計では、上記ネットワークエンティティは、ＷＡＮ通信に上記第１のＵＥを切り替えることができる。さらに別の設計では、上記ネットワークエンティティは、上記ＷＡＮが認可されている上記第２の周波数帯域でＰ２Ｐ通信を継続するための指示を送信することができる。さらに別の設計では、上記ネットワークエンティティは、Ｐ２Ｐ通信を終了するための指示を送信することができる。上記ネットワークエンティティはまた、他の方法で、Ｐ２Ｐ通信障害に対処することもできる。
【００９２】
一設計では、上記ネットワークエンティティは、上記第１の周波数帯域内ではあるが、Ｐ２Ｐ通信用に割り当てられていない、一つ又は複数の周波数チャンネルを決定することができる。上記ネットワークエンティティは、上記第１の周波数帯域の複数免許不要ユーザによる上記一つ又は複数の周波数チャンネルの使用を阻止するために、上記一つ又は複数の周波数チャンネルで一つ又は複数のダミー信号を送信することができる。
【００９３】
図７は、複数ネットワークエンティティ間で協働して、免許不要スペクトルでＰ２Ｐ通信をサポートするためのプロセス７００の設計を示している。プロセス７００は、（以下に説明するような）基地局によって、或いは、何か別のエンティティによって、実行されることができる。上記基地局は、Ｐ２Ｐ通信用に使用するために利用可能な少なくとも一つの周波数チャンネルを決定するために、ＷＡＮ内の少なくとも一つのネットワークエンティティと通信することができる（ブロック７１２）。上記少なくとも一つの周波数チャンネルは、上記ＷＡＮに対して認可されていない周波数帯域に属していても良い。上記基地局は、Ｐ２Ｐ通信用のその複数ＵＥに、少なくとも一つの周波数チャンネルを割り当てることができる（ブロック７１４）。
【００９４】
ブロック７１２の一設計では、上記基地局は、上記少なくとも一つのネットワークエンティティとＰ２Ｐ関連情報を交換することができる。上記Ｐ２Ｐ関連情報は、Ｐ２Ｐ通信用に割り当てられている上記周波数帯域内の複数周波数チャンネル、または、Ｐ２Ｐ通信用に利用可能である上記周波数帯域内の複数周波数チャンネル、または、Ｐ２Ｐ通信用の複数要求、または、Ｐ２Ｐ通信を要求する複数ＵＥの容量及び／又は優先順位、または、それらの組み合わせ、を備えることができる。
【００９５】
分散型スキームのためには、上記少なくとも一つのネットワークエンティティは、（ｉ）それら複数基地局のカバレッジ下の複数のＰ２Ｐリンク間の干渉を軽減するために、及び／又は、（ｉｉ）それら複数基地局に関連付けられた複数ＵＥの複数のグループのためにＰ２Ｐ通信を確立するために、上記基地局と協働する少なくとも一つの隣接基地局を備えることができる。上記隣接基地局（複数可）は、上記隣接基地局（複数可）は、複数ＵＥによって報告された測定値、複数ＵＥの関連性、及び／又は他の情報、に基づいて決定されることができる。上記基地局は、上記隣接基地局（複数可）にＰ２Ｐ関連情報を送信することができ、また、上記隣接基地局（複数可）からＰ２Ｐ関連情報を受信することができる。上記基地局は、上記Ｐ２Ｐ関連情報に基づいて、Ｐ２Ｐ通信用にその複数ＵＥに割り当てるために、少なくとも一つの周波数チャンネルを決定することができる。
【００９６】
中央集中型スキームのためには、上記少なくとも一つのネットワークエンティティは、基地局やネットワークコントローラとすることができる、指定されたネットワークエンティティを備えることができる。上記基地局は、上記指定されたネットワークエンティティにＰ２Ｐ関連情報を送信することができ、Ｐ２Ｐ通信用にその複数ＵＥに割り当てるために、少なくとも一つの周波数チャンネルを受信することができる。上記少なくとも一つの周波数チャンネルは、上記基地局及び上記隣接基地局（複数可）から受信したＰ２Ｐ関連情報に基づいて、上記指定されたネットワークエンティティによって決定されることができる。
【００９７】
図８は、Ｐ２Ｐ通信の可能なＵＥ  １２０ｘの設計のブロック図を示している。ＵＥ  １２０ｘ内では、受信機８１２は、Ｐ２Ｐ通信用に他の複数ＵＥによって送信された複数Ｐ２Ｐ信号を受信することができ、ＷＡＮ通信用に基地局によって送信された複数ダウンリンク信号を受信することができる。送信機８１４は、Ｐ２Ｐ通信用に他の複数ＵＥに複数Ｐ２Ｐ信号を送信することができ、ＷＡＮ通信用に基地局に複数アップリンク信号を送信することができる。モジュール８１６は、免許不要周波数帯域内の複数周波数チャンネルをセンシングすることができ、複数センシング結果を提供することができる。モジュール８１８は、複数センシング結果及び検出された機能停止を報告することができ、Ｐ２Ｐ通信障害の指示を送信することができる。モジュール８２０は、Ｐ２Ｐ通信をサポートすること、例えば、Ｐ２Ｐ通信用に使用される複数信号を生成し処理することができる。モジュール８２２は、ＷＡＮ通信をサポートすること、例えば、ＷＡＮの通信用に使用される複数信号を生成し処理することができる。ＵＥ  １２０ｘ内の様々なモジュールは、上述のように動作することができる。コントローラ／プロセッサ８２４は、ＵＥ  １２０ｘ内の様々なモジュールの動作を管理することができる。メモリ８２６は、ＵＥ  １２０ｘ用のデータ及び複数プログラムコードを格納することができる。
【００９８】
図９は、Ｐ２Ｐ通信をサポートする基地局１１０ｘの設計のブロック図を示している。基地局１１０ｘ内では、受信機９１２は、ＷＡＮ通信用に複数ＵＥから送信されたアップリンク信号を受信することができる。送信機９１４は、ＷＡＮ通信用に複数ＵＥに複数ダウンリンク信号を送信することができる。モジュール９１６は、免許不要周波数帯域内の複数周波数チャンネルをセンシングすることができ、複数センシング結果を提供することができる。モジュール９１８は、複数センシング結果、複数ＵＥからのＰ２Ｐ通信用の複数要求、複数ＵＥからのＰ２Ｐ通信障害の指示、及び／又は複数ＵＥからの他のシグナリング、を受信することができる。モジュール９２０は、例えばジオロケーションデータベースへの複数クエリに基づいて、免許不要帯域（複数可）内で且つＰ２Ｐ通信用に利用可能な複数周波数チャンネルを決定することができる。モジュール９２２は、例えば上述したように、Ｐ２Ｐ通信用に複数ＵＥに、上記免許不要帯域（複数可）の複数周波数チャンネルを割り当てることができる。モジュール９２４は、複数ＵＥのためのＷＡＮ通信をサポートすること、例えば、ＷＡＮ通信用に使用される複数信号を生成し処理することができる。モジュール９２６は、例えば複数ＵＥのためにＰ２Ｐ通信をサポートするための協働のために、バックホールを介して他の複数ネットワークエンティティ（例えば、複数基地局）との通信をサポートすることができる。基地局１１０ｘ内の様々なモジュールは、上述したように動作することができる。コントローラ／プロセッサ９２８は、基地局１１０ｘ内の様々なモジュールの上記動作を管理することができる。メモリ９３０は、基地局１１０ｘ用のデータ及び複数プログラムコードを格納することができる。
【００９９】
図８のＵＥ  １２０ｘ内の上記複数モジュール及び図９の基地局１１０ｘ内の上記複数モジュールは、複数プロセッサ、複数電子デバイス、複数ハードウェアデバイス、複数電子部品、複数論理回路、複数メモリ、複数ソフトウェアコード、複数ファームウェアコード、等々、または、それらの任意の組合せ、を備えることができる。
【０１００】
図１０は、図１の上記複数基地局の内の一つ及び上記複数ＵＥの内の一つであることができる、基地局１１０ｙ及びＵＥ  １２０ｙの設計のブロック図を示している。基地局１１０ｙは、Ｔ個のアンテナ１０３４ａ乃至１０３４ｔを装備することができ、ＵＥ  １２０ｙは、Ｒ個のアンテナ１０５２ａ乃至１０５２ｒを装備することができ、ここで、該して、Ｔ＞１且つＲ＞１である。
【０１０１】
基地局１１０ｙにおいて、送信プロセッサ１０２０は、データソース１０１２からの一つ又は複数のＵＥ用のデータと、コントローラ／プロセッサ１０４０からの制御情報（例えば、Ｐ２Ｐ通信及びＷＡＮ通信をサポートするメッセージ）と、を受信することができる。プロセッサ１０２０は、複数データシンボル及び複数制御情報それぞれを取得するために、上記データ及び制御情報を処理する（例えば、エンコード及び変調する）ことができる。プロセッサ１０２０はまた、複数同期信号、複数基準信号、等々のための複数基準シンボルを生成することもできる。送信（ＴＸ）多入力多出力（ＭＩＭＯ）プロセッサ１０３０は、適用可能であれば、上記複数データシンボル、上記複数制御シンボル、及び／又は上記複数基準シンボルに空間処理（例えば、プリコーディング）を行うことができ、Ｔ個の変調器（ＭＯＤ）１０３２ａ乃至１０３２ｔへＴ個の出力シンボルストリームを提供することができる。各変調器１０３２は、出力サンプルストリームを取得するために、（例えば、ＯＦＤＭ、等々用に）それぞれの出力シンボルストリームを処理することができる。各変調器１０３２は、ダウンリンク信号を得るために、上記出力サンプルストリームを更に処理する（例えば、アナログに変換する、増幅する、フィルタリングする、及びアップコンバートする）ことができる。変調器１０３２ａ乃至１０３２ｔからのＴ個のダウンリンク信号は、Ｔ個のアンテナ１０３４ａ乃至１０３４ｔそれぞれを介して送信されることができる。
【０１０２】
ＵＥ  １２０ｙでは、アンテナ１０５２ａ乃至１０５２ｒは、基地局１１０ｙからの上記複数ダウンリンク信号、他の複数基地局からの複数ダウンリンク信号、及び／又は他の複数ＵＥからの複数Ｐ２Ｐ信号を受信することができ、復調器（ＤＥＭＯＤ）１０５４ａ乃至１０５４ｒそれぞれに複数受信信号を提供することができる。各復調器１０５４は、複数入力サンプルを取得するために、それぞれの受信信号を調整する（例えば、フィルタリングする、増幅する、ダウンコンバートする、デジタル化する）ことができる。各復調器１０５４は、複数受信シンボルを取得するために、（例えば、ＯＦＤＭ、等々用に）上記複数入力サンプルを更に処理することができる。ＭＩＭＯ検出器１０５６は、全てのＲ個の復調器１０５４ａ乃至１０５４ｒから受信シンボルを取得することができ、適用可能であれば上記複数受信シンボルにＭＩＭＯ検出を実行することができ、検出された複数シンボルを提供することができる。受信プロセッサ１０５８は、上記検出された複数シンボルを処理する（例えば、復調及びデコードする）ことができ、データシンク１０６０にＵＥ  １２０ｙ用のデコードされたデータを提供することができ、コントローラ／プロセッサ１０８０に復号された制御情報を提供することができる。
【０１０３】
アップリンクでは、ＵＥ  １２０ｙで、送信プロセッサ１０６４は、データソース１０６２からデータと、コントローラ／プロセッサ１０８０からの制御情報（例えば、Ｐ２Ｐ通信及びＷＡＮ通信のためのメッセージ）と、を受信することができる。プロセッサ１０６４は、複数データシンボル及び複数制御シンボルそれぞれを得るために、上記データ及び制御情報を処理する（例えば、エンコード及び変調する）ことができる。プロセッサ１０６４はまた、基準信号、ピア検出信号、等々、のための複数シンボルを生成することもできる。送信プロセッサ１０６４からの複数シンボルは、適用可能であればＴＸ  ＭＩＭＯプロセッサ１０６６によってプリコードされることができ、（例えば、ＳＣ−ＦＤＭ、ＯＦＤＭ、等々用に）複数復調器１０５４ａ乃至１０５４ｒで更に処理されることができ、基地局１１０ｙ、他の複数基地局、及び／又は他の複数ＵＥに送信されることができる。基地局１１０ｙでは、ＵＥ  １２０ｙ及び他の複数ＵＥからの上記複数アップリンク信号が、複数アンテナ１０３４によって受信され、複数復調器１０３２によって処理され、適用可能であればＭＩＭＯ検出器１０３６によって検出され、ＵＥ  １２０ｙ及び他の複数ＵＥによって送信されたデコードされたデータ及び制御情報を取得するために受信プロセッサ１０３８によって更に処理されることができる。プロセッサ１０３８は、データシンク１０３９に上記デコードされたデータを、及び、コントローラ／プロセッサ１０４０に上記デコードされた制御情報を、提供することができる。
【０１０４】
コントローラ／プロセッサ１０４０及び１０８０は、それぞれ、基地局１１０ｙ及びＵＥ  １２０ｙでの動作を管理することができる。プロセッサ１０８０及び／又は他の複数プロセッサ及びＵＥ  １２０ｙでのモジュールは、図３のプロセス３００、図４のプロセス４００、図５のプロセス５００、及び／又は本明細書に記載された複数技術のための他の複数プロセスを実行すること又は管理することができる。プロセッサ１０４０及び／又は他の複数プロセッサ及び基地局１１０ｙでのモジュールは、図６のプロセス６００、図７のプロセス７００、及び／又は本明細書に記載された複数技術のための他の複数プロセスを実行すること又は管理することができる。メモリ１０４２及び１０８２は、それぞれ、基地局１１０ｙ及びＵＥ  １２０ｙ用のデータ及び複数プログラムコードを格納することができる。通信（Ｃｏｍｍ）ユニット１０４４は、他の複数ネットワークエンティティと通信することを基地局１１０ｙに可能にすることができる。スケジューラ１０４は、ＷＡＮ通信及びＰ２Ｐ通信のために複数ＵＥをスケジューリングすることができる。
【０１０５】
図１０はまた、図１のジオロケーションデータベースサーバ１４０の設計も示している。サーバ１４０内で、コントローラ／プロセッサ１０９０は、複数周波数帯域の免許不要使用をサポートするために、様々な機能を実行することができる。コントローラ／プロセッサ１０９０は、基地局または何か別のエンティティからの要求を受信することができ、使用のために利用できる免許不要帯域の複数周波数チャンネルのリストを提供することができる。メモリ１０９２は、サーバ１４０用の複数プログラムコード及びデータを格納することができる。ストレージユニット１０９４は、位置に対する利用可能な複数周波数チャンネルのジオロケーションデータベースを格納することができる。通信ユニット１０９６は、他の複数ネットワークエンティティと通信するようにサーバ１４０を有効にすることができる。
【０１０６】
一構成では、無線通信用の装置１２０ｘ又は１２０ｙは、ＷＡＮに認可されていない第１の周波数帯域で少なくとも一つの他のＵＥとのＰ２Ｐ通信を確立するために第１のＵＥによって上記ＷＡＮと通信するための手段と、上記第１の周波数帯域で上記少なくとも一つの他のＵＥとピアツーピア通信するための手段と、及び、上記少なくとも一つの他のＵＥとのＰ２Ｐ通信を維持するために上記ＷＡＮと通信するための手段と、を含むことができる。
【０１０７】
別の構成では、無線通信用の装置１２０ｘ又は１２０ｙは、ＷＡＮに認可されていない周波数帯域内の少なくとも一つの周波数チャンネルで第１のＵＥによって少なくとも一つの他のＵＥとＰ２Ｐ通信するための手段と、上記周波数帯域の少なくとも一つの認可ユーザによる上記少なくとも一つの周波数チャンネルの使用を検出するために上記少なくとも一つの周波数チャンネルを監視するための手段と、及び、上記少なくとも一つの認可ユーザによる上記少なくとも一つの周波数チャンネルの使用が検出されたとき、上記少なくとも一つの周波数チャンネルでのＰ２Ｐ通信を終了するための手段と、を含むことができる。
【０１０８】
また別の構成では、無線通信用の装置１２０ｘ又は１２０ｙは、ＷＡＮに対して認可されていない周波数帯域の複数周波数チャンネルのリストを受信するための手段であって、上記複数周波数チャンネルのリストが第１のＵＥによってＰ２Ｐ通信用に使用するために利用可能である、受信するための手段と、上記リスト内の第１の周波数チャンネルで少なくとも一つの他のＵＥとピアツーピア通信するための手段と、上記リスト内の第２の周波数チャンネルへの上記第１の周波数チャンネルからのハンドオーバの実行を決定するための手段と、上記第２の周波数チャンネルへの上記第１の周波数チャンネルからのハンドオーバを実行するための手段と、を含むことができる。
【０１０９】
一構成では、無線通信用の装置１１０ｘ又は１１０ｙは、ＷＡＮに認可されていない第１の周波数帯域で上記ＷＡＮ内の第１のＵＥと少なくとも一つの他のＵＥとの間のＰ２Ｐ通信を確立するために上記第１のＵＥと通信するための手段と、上記第１のＵＥと上記少なくとも一つの他のＵＥとの間のＰ２Ｐ通信を維持するために上記第１のＵＥと通信するための手段と、を含むことができる。
【０１１０】
別の構成では、無線通信用の装置１１０ｘ又は１１０ｙは、Ｐ２Ｐ通信用に使用のために利用可能な少なくとも一つの周波数チャンネルを決定するためにＷＡＮ内の少なくとも一つのネットワークエンティティと通信するための手段であって、上記少なくとも一つの周波数チャンネルが上記ＷＡＮに認可されていない周波数帯域に属する、通信するための手段と、Ｐ２Ｐ通信のために複数ＵＥに上記少なくとも一つの周波数チャンネルを割り当てるための手段と、を含むことができる。
【０１１１】
ある態様では、上述の手段は、上述の手段によって列挙された上記複数機能を実行するように構成されることができる、基地局１１０ｙにプロセッサ（複数可）１０２０、１０３８、及び／又は１０４０、及び／又は、ＵＥ  １２０ｙにプロセッサ（複数可）１０５８、１０６４及び／又は１０８０を備えることができる。別の態様では、上述の手段は、上述の手段により列挙された上記複数機能を実行するように構成された、一つ又は複数のモジュールまたは任意の装置であっても良い。
【０１１２】
当業者は、情報及び複数信号が、様々なテクノロジーや技術の何れかを用いて表されることができるということを理解するであろう。例えば、上記の説明の全体にわたって参照されることができる、データ、命令、コマンド、情報、信号、ビット、シンボル、及びチップは、電圧、電流、電磁波、磁界または粒子、光学場または粒子、または、これらの何れかの組み合わせ、によって表されることができる。
【０１１３】
当業者は、さらに、本明細書の開示に関連して説明した様々な例示的な論理ブロック、モジュール、回路、及びアルゴリズムステップは、電子ハードウェア、コンピュータソフトウェア、または両方の組み合わせとして実装されることができることを理解するであろう。ハードウェアとソフトウェアのこの互換性を明確に示すために、様々な例示的なコンポーネント、ブロック、モジュール、回路、及びステップが、概してそれらの機能の観点から上述されている。このような機能がハードウェアとして実装されるか、ソフトウェアとして実装されるかは、システム全体に課された特定のアプリケーション及び設計制約に依存する。当業者は、それぞれの特定のアプリケーションのために様々な方法で上述の機能を実装することができるが、そのような実施の決定は、本開示の範囲からの逸脱を生じさせるものではないと解釈されるべきである。
【０１１４】
本明細書の開示に関連して説明した様々な例示的な論理ブロック、モジュール、及び回路は、汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブルロジックデバイス、ディスクリートゲート又はトランジスタロジック、ディスクリートハードウェアコンポーネント、または、本明細書に記載された機能を実行するように設計されたそれらの任意の組合せ、で実装または実行されることができる。汎用プロセッサは、マイクロプロセッサであって良いが、代わりに、任意の従来のプロセッサ、コントローラ、マイクロコントローラ、又は状態機械であっても良い。プロセッサはまた、コンピューティングデバイスの組み合わせ、例えば、ＤＳＰとマイクロプロセッサの組み合わせ、複数のマイクロプロセッサ、ＤＳＰコアと併用しての一つ又は複数のマイクロプロセッサ、又は何か別のそのような構成、として実装されこともできる。
【０１１５】
本明細書の開示に関連して説明された方法やアルゴリズムの複数ステップは、直接ハードウェアで、プロセッサによって実行されるソフトウェアモジュールで、又はそれら二つの組み合わせで、具現化されことができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、又は当該技術分野で知られている記憶媒体の任意の他の形態内に存在することができる。典型的な記憶媒体は、プロセッサが当該記憶媒体から情報を読み取り、且つ、当該記憶媒体に情報を書き込むことができるように、上記プロセッサに結合されている。あるいは、上記記憶媒体は、上記プロセッサと一体化されても良い。上記プロセッサ及び上記記憶媒体は、ＡＳＩＣ内に存在しても良い。上記ＡＳＩＣは、ユーザ端末内に存在しても良い。あるいは、上記プロセッサ及び上記記憶媒体は、ユーザ端末内にディスクリートコンポーネントとして存在しても良い。
【０１１６】
一つ又は複数の例示的な設計では、説明された上記複数機能は、ハードウェア、ソフトウェア、ファームウェア、又はそれらの任意の組み合わせ、で実装されことができる。ソフトウェアで実装した場合、上記複数機能は、コンピュータ可読媒体上の一つ又は複数の命令又はコードとして格納されるか、送信されることができる。コンピュータ可読媒体は、コンピュータ記憶媒体と、ある場所から別の場所へのコンピュータプログラムの転送を容易にする任意の媒体を含む通信媒体と、の両方を含む。記憶媒体は、汎用又は専用コンピュータによってアクセスされることができる、任意の利用可能な媒体とすることができる。例えば、限定はしないが、そのようなコンピュータ可読媒体は、ＲＡＭ、ＲＯＭ、ＥＥＰＲＯＭ、ＣＤ−ＲＯＭ又は他の光ディスク記憶装置、磁気ディスク記憶装置又は他の磁気記憶装置、或いは、複数命令又は複数データ構造の形態で所望のプログラムコード手段を搬送又は格納することができ且つ汎用又は専用コンピュータ若しくは汎用又は専用プロセッサによってアクセスされ得る任意の他の媒体、を含むことができる。また、任意の接続も、適切にコンピュータ可読媒体と呼ばれる。例えば、ウェブサイトから、サーバから、又は同軸ケーブル、光ファイバケーブル、ツイストペア、デジタル加入者線（ＤＳＬ）、又は赤外線、無線及びマイクロ波などの無線技術、を使用する、他のリモートソースから、上記ソフトウェアが送信され場合には、上記同軸ケーブル、光ファイバケーブル、ツイストペア、ＤＳＬ、又は赤外線、無線及びマイクロ波などの無線技術は、媒体の定義に含まれる。本明細書中で使用されるようなディスク（disk）及びディスク（disc）は、コンパクトディスク（ＣＤ）、レーザディスク、光ディスク、デジタル多用途ディスク（ＤＶＤ）、フロッピー（登録商標）ディスク、及びブルーレイディスクを含み、ここで、ディスク（disk）は通常は磁気的にデータを再生し、ディスク（disc）はレーザで光学的にデータを再生する。上記の組合せもまた、コンピュータ可読媒体の範囲内に含まれるべきである。
【０１１７】
本開示の前述の説明は、当業者が本開示を実施または使用できるようにするために提供されるものである。本開示への様々な変更は当業者には容易に明らかになり、本明細書で定義された一般的原理は、本開示の趣旨または範囲から逸脱することなく他の変形形態に適用され得る。したがって、本開示は、本明細書で説明された例及び設計に限定されるものではなく、本明細書で開示された原理及び新規の特徴に一致する最も広い範囲を与えられるべきである。
【図１】
2013523018.tif 000003
【図２−１】
2013523018.tif 000004
【図２−２】
2013523018.tif 000005
【図３】
2013523018.tif 000006
【図４】
2013523018.tif 000007
【図５】
2013523018.tif 000008
【図６】
2013523018.tif 000009
【図７】
2013523018.tif 000010
【図８】
2013523018.tif 000011
【図９】
2013523018.tif 000012
【図１０】
2013523018.tif 000013
【手続補正書】
【提出日】平成24年11月16日(2012.11.16)
【手続補正１】
【補正対象書類名】明細書
【補正対象項目名】０１１７
【補正方法】変更
【補正の内容】
【０１１７】
本開示の前述の説明は、当業者が本開示を実施または使用できるようにするために提供されるものである。本開示への様々な変更は当業者には容易に明らかになり、本明細書で定義された一般的原理は、本開示の趣旨または範囲から逸脱することなく他の変形形態に適用され得る。したがって、本開示は、本明細書で説明された例及び設計に限定されるものではなく、本明細書で開示された原理及び新規の特徴に一致する最も広い範囲を与えられるべきである。
以下に、本願出願の当初の特許請求の範囲に記載された発明を付記する。
（１）  無線通信のための方法であって、
第１のユーザ機器（ＵＥ）によって、ワイドエリアネットワーク（ＷＡＮ）に対し認可されていない第１の周波数帯域で、少なくとも一つの他のＵＥとのピアツーピア（Ｐ２Ｐ）通信を確立するために、前記ＷＡＮと通信すること、及び、
前記第１のＵＥによって、前記第１の周波数帯域で、前記少なくとも一つの他のＵＥとピアツーピアを通信すること、
を備える、無線通信のための方法。
（２）  前記少なくとも一つの他のＵＥとのＰ２Ｐ通信を維持するために、前記ＷＡＮとの通信すること、
を更に備える、（１）の方法。
（３）  前記ＷＡＮと前記通信することは、前記第１のＵＥのサービング基地局と通信することを備える、（１）の方法。
（４）  前記ＷＡＮと前記通信することは、前記第１のＵＥによって第２の周波数帯域で前記ＷＡＮと通信することを備え、及び、前記ＷＡＮは、前記第２の周波数帯域で認可されている、（１）の方法。
（５）  前記ＷＡＮと前記通信することは、
前記ＷＡＮへ前記第１のＵＥからＰ２Ｐ通信の要求を送信すること、及び、
前記第１のＵＥによってＰ２Ｐ通信に使用するための前記第１の周波数帯域内の少なくとも一つの周波数チャンネルを前記ＷＡＮから受信すること、
を備える、（１）の方法。
（６）  前記第１の周波数帯域の前記少なくとも一つの認可ユーザによる一つ又は複数の周波数チャンネルの使用を検出するために、前記第１のＵＥによる前記第１の周波数帯域内の前記一つ又は複数の周波数チャンネルをセンシングすること、
上記第１のＵＥから上記ＷＡＮへの結果を感知することを送ること；前記ＷＡＮへ前記第１のＵＥから複数センシング結果を送信すること、及び、
前記第１の周波数帯域内であって且つ前記複数センシング結果に基づいて選択される、Ｐ２Ｐ通信用に前記第１のＵＥに割り当てられた少なくとも一つの周波数チャンネルを、前記ＷＡＮから受信すること、
を更に備える、（１）の方法。
（７）  前記第１のＵＥによってセンシングされた一つ又は複数の周波数チャンネルのセットを前記ＷＡＮから受信することであって、前記第１のＵＥによってセンシングされた前記一つ又は複数の周波数チャンネルはセンシングするために複数周波数チャンネルの前記セットに含まれる、受信すること、
を更に備える、（６）の方法。
（８）  前記第１の周波数帯域内で且つ前記第１のＵＥによるＰ２Ｐ通信用に使用可能な複数周波数チャンネルのリストを、前記ＷＡＮから受信すること、
複数周波数チャンネルの前記リスト内の前記第１の周波数チャンネルで、前記少なくとも一つの他のＵＥとピアツーピア通信すること、
前記第１の周波数チャンネル上のパフォーマンス低下又は前記第１の周波数帯域の少なくとも一つの認可ユーザによる前記第１の周波数チャンネルの使用を検出すること、及び、
複数周波数チャンネルの前記リスト内の第２の周波数チャンネルへ前記第１の周波数チャンネルからハンドオーバを行うこと、
を更に備える、（１）の方法。
（９）  前記第２の周波数チャンネルへの前記第１の周波数チャンネルからのハンドオーバの指示を前記ＷＡＮへ送信すること、及び、
前記第１の周波数帯域内で且つ前記第１のＵＥによるＰ２Ｐ通信用に使用可能な複数周波数チャンネルの更新されたリストを前記ＷＡＮから受信すること、
を更に備える、（８）の方法。
（１０）  前記ＷＡＮへＰ２Ｐ通信障害の通知を送信すること、
前記ＷＡＮからＰ２Ｐ通信を終了させる指示を受信すること、及び、
前記ＷＡＮからの前記指示に応じてＰ２Ｐ通信を終了すること、
を更に備える、（１）の方法。
（１１）  前記第１の周波数帯域でＰ２Ｐ通信障害を検出すること、及び、
Ｐ２Ｐ通信障害の検出に応答して、前記ＷＡＮを介した通信にＰ２Ｐ通信から切り替えること、
を更に備える、（１）の方法。
（１２）  前記ＷＡＮへＰ２Ｐ通信障害の通知を送信すること、
第２の周波数帯域で認可されている前記ＷＡＮから前記第２の周波数帯域でＰ２Ｐ通信を継続する指示を受信すること、及び、
前記ＷＡＮからの前記指示に応じて、前記第２の周波数帯域でＰ２Ｐ通信を継続すること、
を更に備える、（１）の方法。
（１３）  前記ＷＡＮが認可されている第２の周波数帯域で、前記少なくとも一つの他のＵＥとピアツーピアを通信すること、
を更に備える、（１）の方法。
（１４）  前記第２の周波数帯域でのＰ２Ｐ通信は、前記第１の周波数帯域でのＰ２Ｐ通信よりも信頼性は高いが、より低い容量を持つ、（１３）の方法。
（１５）  前記第１の周波数帯域は、テレビホワイトスペーススペクトルに対応する、（１）の方法。
（１６）  無線通信のための装置であって、
第１のユーザ機器（ＵＥ）によって、ワイドエリアネットワーク（ＷＡＮ）に対し認可されていない第１の周波数帯域で、少なくとも一つの他のＵＥとのピアツーピア（Ｐ２Ｐ）通信を確立するために、前記ＷＡＮと通信するための手段、及び、
前記第１のＵＥによって、前記第１の周波数帯域で、前記少なくとも一つの他のＵＥとピアツーピアを通信するための手段、
を備える、無線通信のための装置。
（１７）  前記少なくとも一つの他のＵＥとのＰ２Ｐ通信を維持するために、前記ＷＡＮとの通信するための手段、
を更に備える、（１６）の装置。
（１８）  前記ＷＡＮと通信するための前記手段は、
前記ＷＡＮへ前記第１のＵＥからＰ２Ｐ通信の要求を送信するための手段、及び、
前記第１のＵＥによってＰ２Ｐ通信に使用するための前記第１の周波数帯域内の少なくとも一つの周波数チャンネルを前記ＷＡＮから受信するための手段、
を備える、（１６）の装置。
（１９）  前記第１の周波数帯域内で且つ前記第１のＵＥによるＰ２Ｐ通信用に使用可能な複数周波数チャンネルのリストを、前記ＷＡＮから受信するための手段、
複数周波数チャンネルの前記リスト内の前記第１の周波数チャンネルで、前記少なくとも一つの他のＵＥとピアツーピア通信するための手段、
前記第１の周波数チャンネル上のパフォーマンス低下又は前記第１の周波数帯域の少なくとも一つの認可ユーザによる前記第１の周波数チャンネルの使用を検出するための手段、及び、
複数周波数チャンネルの前記リスト内の第２の周波数チャンネルへ前記第１の周波数チャンネルからハンドオーバを行うための手段、
を更に備える、（１６）の装置。
（２０）  前記ＷＡＮが認可されている第２の周波数帯域で、前記少なくとも一つの他のＵＥとピアツーピアを通信するための手段、
を更に備える、（１６）の装置。
（２１）  無線通信のための装置であって、
第１のユーザ機器（ＵＥ）によって、ワイドエリアネットワーク（ＷＡＮ）に対し認可されていない第１の周波数帯域で、少なくとも一つの他のＵＥとのピアツーピア（Ｐ２Ｐ）通信を確立するために、前記ＷＡＮと通信し、且つ、前記第１のＵＥによって、前記第１の周波数帯域で、前記少なくとも一つの他のＵＥとピアツーピアを通信する、ように構成された、少なくとも一つのプロセッサ、
を備える、無線通信のための装置。
（２２）  前記少なくとも一つのプロセッサは、前記少なくとも一つの他のＵＥとのＰ２Ｐ通信を維持するために、前記ＷＡＮとの通信する、ように構成される、（２１）の装置。
（２３）  前記少なくとも一つのプロセッサは、前記ＷＡＮへ前記第１のＵＥからＰ２Ｐ通信の要求を送信し、且つ、前記第１のＵＥによってＰ２Ｐ通信に使用するための前記第１の周波数帯域内の少なくとも一つの周波数チャンネルを前記ＷＡＮから受信する、ように構成される、（２１）の装置。
（２４）  前記少なくとも一つのプロセッサは、前記第１の周波数帯域内で且つ前記第１のＵＥによるＰ２Ｐ通信用に使用可能な複数周波数チャンネルのリストを、前記ＷＡＮから受信し、複数周波数チャンネルの前記リスト内の前記第１の周波数チャンネルで、前記少なくとも一つの他のＵＥとピアツーピア通信し、前記第１の周波数チャンネル上のパフォーマンス低下又は前記第１の周波数帯域の少なくとも一つの認可ユーザによる前記第１の周波数チャンネルの使用を検出し、且つ、複数周波数チャンネルの前記リスト内の第２の周波数チャンネルへ前記第１の周波数チャンネルからハンドオーバを行う、ように構成される、（２１）の装置。
（２５）  前記少なくとも一つのプロセッサは、前記ＷＡＮが認可されている第２の周波数帯域で、前記少なくとも一つの他のＵＥとピアツーピアを通信するように構成される、（２１）の装置。
（２６）  コンピュータプログラム製品であって、
少なくとも一つのプロセッサに、第１のユーザ機器（ＵＥ）によって、ワイドエリアネットワーク（ＷＡＮ）に対し認可されていない第１の周波数帯域で、少なくとも一つの他のＵＥとのピアツーピア（Ｐ２Ｐ）通信を確立するために、前記ＷＡＮと通信させるためのコード、及び、
前記少なくとも一つのプロセッサに、前記第１のＵＥによって、前記第１の周波数帯域で、前記少なくとも一つの他のＵＥとピアツーピアを通信させるためのコード、
を備える、非一時的なコンピュータ可読媒体、
を備える、コンピュータプログラム製品。
（２７）  無線通信のための方法であって、
第１のユーザ機器（ＵＥ）によって、ワイドエリアネットワーク（ＷＡＮ）に対し認可されていない周波数帯域内の少なくとも一つの周波数チャンネルで、少なくとも一つの他のＵＥとピアツーピア（Ｐ２Ｐ）通信すること、
前記周波数帯域の少なくとも一つの認可ユーザによる前記少なくとも一つの周波数チャンネルの使用を検出するために、前記第１のＵＥによって、前記少なくとも一つの周波数チャンネルを監視すること、及び、
前記少なくとも一つの認可ユーザによる前記少なくとも一つの周波数チャンネルの使用が検出されたとき、前記第１のＵＥによる前記少なくとも一つの周波数チャンネルでのＰ２Ｐ通信を終了すること、
を備える、無線通信のための方法。
（２８）  前記一つ又は複数の周波数チャンネルの使用を検出するために、前記第１のＵＥによって、前記周波数帯域内の一つ又は複数の周波数チャンネルをセンシングすること、及び、
前記ＷＡＮへ前記第１のＵＥから複数センシング結果を送信すること、
を更に備え、
前記少なくとも一つの周波数チャンネルは、前記第１のＵＥからの前記複数センシング結果に基づいて選択される、
（２７）の方法。
（２９）  前記少なくとも一つの周波数チャンネルを前記監視することは、前記少なくとも一つの認可ユーザによる前記少なくとも一つの周波数チャンネルの使用を検出するために、前記周波数帯域の前記少なくとも一つの認可ユーザによって送信された少なくとも一つの信号の少なくとも一つの特性をセンシングすることを備える、（２７）の方法。
（３０）  前記少なくとも一つの周波数チャンネルを前記監視することは、Ｐ２Ｐ通信が係属中の間、特定の期間の各時間間隔で前記第１のＵＥによって、定期的に前記少なくとも一つの周波数チャンネルをセンシングすることを備える、（２７）の方法。
（３１）  前記少なくとも一つの認可ユーザによる前記少なくとも一つの周波数チャンネルの使用が検出されたとき、または、パフォーマンスの低下が前記少なくとも一つの周波数チャンネルで検出されたとき、前記周波数帯域内の前記少なくとも一つの他の周波数チャンネルへの前記少なくとも一つの周波数チャンネルからのハンドオーバを行うこと、
を更に備える、（２７）の方法。
（３２）  前記少なくとも一つの認可ユーザによる前記少なくとも一つの周波数チャンネルの使用が検出されたとき、または、パフォーマンスの低下が前記少なくとも一つの周波数チャンネルで検出されたとき、前記ＷＡＮを介した通信に前記Ｐ２Ｐ通信から切り替えること、
を更に備える、（２７）の方法。
（３３）  無線通信のための装置であって、
第１のユーザ機器（ＵＥ）によって、ワイドエリアネットワーク（ＷＡＮ）に対し認可されていない周波数帯域内の少なくとも一つの周波数チャンネルで、少なくとも一つの他のＵＥとピアツーピア（Ｐ２Ｐ）通信するための手段、
前記周波数帯域の少なくとも一つの認可ユーザによる前記少なくとも一つの周波数チャンネルの使用を検出するために、前記第１のＵＥによって、前記少なくとも一つの周波数チャンネルを監視するための手段、及び、
前記少なくとも一つの認可ユーザによる前記少なくとも一つの周波数チャンネルの使用が検出されたとき、前記第１のＵＥによる前記少なくとも一つの周波数チャンネルでのＰ２Ｐ通信を終了するための手段、
を備える、無線通信のための装置。
（３４）  前記一つ又は複数の周波数チャンネルの使用を検出するために、前記第１のＵＥによって、前記周波数帯域内の一つ又は複数の周波数チャンネルをセンシングするための手段、及び、
前記ＷＡＮへ前記第１のＵＥから複数センシング結果を送信するための手段、
を更に備え、
前記少なくとも一つの周波数チャンネルは、前記第１のＵＥからの前記複数センシング結果に基づいて選択される、
（３３）の装置。
（３５）  前記少なくとも一つの認可ユーザによる前記少なくとも一つの周波数チャンネルの使用が検出されたとき、または、パフォーマンスの低下が前記少なくとも一つの周波数チャンネルで検出されたとき、前記周波数帯域内の前記少なくとも一つの他の周波数チャンネルへの前記少なくとも一つの周波数チャンネルからのハンドオーバを行うための手段、
を更に備える、（３３）の装置。
（３６）  前記少なくとも一つの認可ユーザによる前記少なくとも一つの周波数チャンネルの使用が検出されたとき、または、パフォーマンスの低下が前記少なくとも一つの周波数チャンネルで検出されたとき、前記ＷＡＮを介した通信に前記Ｐ２Ｐ通信から切り替えるための手段、
を更に備える、（３３）の装置。
（３７）  無線通信のための装置であって、
第１のユーザ機器（ＵＥ）によって、ワイドエリアネットワーク（ＷＡＮ）に対し認可されていない周波数帯域内の少なくとも一つの周波数チャンネルで、少なくとも一つの他のＵＥとピアツーピア（Ｐ２Ｐ）通信し、前記周波数帯域の少なくとも一つの認可ユーザによる前記少なくとも一つの周波数チャンネルの使用を検出するために、前記第１のＵＥによって、前記少なくとも一つの周波数チャンネルを監視し、且つ、前記少なくとも一つの認可ユーザによる前記少なくとも一つの周波数チャンネルの使用が検出されたとき、前記第１のＵＥによる前記少なくとも一つの周波数チャンネルでのＰ２Ｐ通信を終了する、ように構成された、少なくとも一つのプロセッサ、
を備える、無線通信のための装置。
（３８）  前記少なくとも一つのプロセッサは、前記一つ又は複数の周波数チャンネルの使用を検出するために、前記第１のＵＥによって、前記周波数帯域内の一つ又は複数の周波数チャンネルをセンシングし、且つ、前記ＷＡＮへ前記第１のＵＥから複数センシング結果を送信するように構成され、及び、前記少なくとも一つの周波数チャンネルは、前記第１のＵＥからの前記複数センシング結果に基づいて選択される、（３７）の装置。
（３９）  前記少なくとも一つのプロセッサは、前記少なくとも一つの認可ユーザによる前記少なくとも一つの周波数チャンネルの使用が検出されたとき、または、パフォーマンスの低下が前記少なくとも一つの周波数チャンネルで検出されたとき、前記周波数帯域内の前記少なくとも一つの他の周波数チャンネルへの前記少なくとも一つの周波数チャンネルからのハンドオーバを行うように構成される、（３７）の装置。
（４０）  前記少なくとも一つのプロセッサは、前記少なくとも一つの認可ユーザによる前記少なくとも一つの周波数チャンネルの使用が検出されたとき、または、パフォーマンスの低下が前記少なくとも一つの周波数チャンネルで検出されたとき、前記ＷＡＮを介した通信に前記Ｐ２Ｐ通信から切り替えるように構成される、（３７）の装置。
（４１）  コンピュータプログラム製品であって、
少なくとも一つのコンピュータに、第１のユーザ機器（ＵＥ）によって、ワイドエリアネットワーク（ＷＡＮ）に対し認可されていない周波数帯域内の少なくとも一つの周波数チャンネルで、少なくとも一つの他のＵＥとピアツーピア（Ｐ２Ｐ）通信させるためのコード、
前記少なくとも一つのプロセッサに、前記周波数帯域の少なくとも一つの認可ユーザによる前記少なくとも一つの周波数チャンネルの使用を検出するために、前記第１のＵＥによって、前記少なくとも一つの周波数チャンネルを監視させるためのコード、及び、
前記少なくとも一つのプロセッサに、前記少なくとも一つの認可ユーザによる前記少なくとも一つの周波数チャンネルの使用が検出されたとき、前記第１のＵＥによる前記少なくとも一つの周波数チャンネルでのＰ２Ｐ通信を終了させるためのコード、
を備える、非一時的なコンピュータ可読媒体、
を備える、コンピュータプログラム製品。
（４２）  無線通信のための方法であって、
ワイドエリアネットワーク（ＷＡＮ）内のネットワークエンティティによって、前記ＷＡＮに対し認可されていない第１の周波数帯域で第１のユーザ機器（ＵＥ）と少なくとも一つの他のＵＥとの間のピアツーピア（Ｐ２Ｐ）通信を確立するために、前記第１のＵＥと通信すること、及び、
前記ネットワークエンティティによって、前記第１のＵＥと前記少なくとも一つの他のＵＥとの間のＰ２Ｐ通信を維持するために、前記第１のＵＥと通信すること、
を備える、無線通信のための方法。
（４３）  前記ネットワークエンティティは、前記第１のＵＥのサービング基地局である、（４２）の方法。
（４４）  前記ネットワークエンティティは、前記ＷＡＮが認可されている第２の周波数帯域で、前記第１のＵＥと通信する、（４２）の方法。
（４５）  前記Ｐ２Ｐ通信を確立するために前記第１のＵＥと前記通信することは、
前記第１のＵＥからのＰ２Ｐ通信の要求を受信すること、及び、
前記第１のＵＥによるＰ２Ｐ通信用に使用のために利用可能である前記少なくとも一つの周波数チャンネルを、前記第１のＵＥへ、前記第１の周波数帯域内の少なくとも一つの周波数チャンネルで送信すること、
を備える、（４２）の方法。
（４６）  前記第１の周波数帯域の認可ユーザによって使用されていない前記第１の周波数帯域内の複数周波数チャンネルの中からＰ２Ｐ通信用に前記第１のＵＥに割り当てるために、少なくとも一つの周波数チャンネルを選択すること、
を更に備える、（４２）の方法。
（４７）  少なくとも一つの周波数チャンネルを前記選択することは、前記第１の周波数帯域の複数免許不要ユーザからの前記少なくとも一つの周波数チャンネル上の干渉、Ｐ２Ｐ通信用の前記少なくとも一つの周波数チャンネルに割り当てられた他の複数ＵＥからの前記少なくとも一つの周波数チャンネル上の干渉、又は、前記第１のＵＥによって推定された前記少なくとも一つの周波数チャンネルのチャンネル品質、又は、前記第１のＵＥの複数容量、又は、それらの組み合わせ、にさらに基づいて、前記少なくとも一つの周波数チャンネルを選択することを備える、（４６）の方法。
（４８）  前記第１のＵＥから前記第１の周波数帯域内の一つ又は複数の周波数チャンネルのための複数センシング結果を受信すること、及び、
前記第１のＵＥからの前記複数センシング結果に基づいて、Ｐ２Ｐ通信用に前記第１のＵＥに割り当てるために、前記第１の周波数帯域内の少なくとも一つの周波数チャンネルを選択すること、
を更に備える、（４２）の方法。
（４９）  前記第１のＵＥによってセンシングされた一つ又は複数の周波数チャンネルを含む、前記第１のＵＥによってセンシングされるべき複数周波数チャンネルのセットを、送信すること、
を更に備える、（４８）の方法。
（５０）  Ｐ２Ｐ通信を確立するために前記第１のＵＥと前記通信することは、前記第１の周波数帯域内で且つ前記第１のＵＥによるＰ２Ｐ通信用に利用可能な複数周波数チャンネルの第１のリストを送信することを備え、及び、前記第１のＵＥは、前記第１のリスト内の第１の周波数チャンネルで前記少なくとも一つの他のＵＥとピアツーピア通信を行う、（４２）の方法。
（５１）  Ｐ２Ｐ通信を維持するために、前記第１のＵＥと前記通信することは、
前記第１のリスト内の第２の周波数チャンネルへの前記第１の周波数チャンネルからのハンドオーバの指示を、前記第１のＵＥから受信すること、及び、
前記第１の周波数帯域内で且つ前記第１のＵＥによるＰ２Ｐ通信用に利用可能な前記複数周波数チャンネルの第２のリストを送信すること、
を備える、（５０）の方法。
（５２）  前記第１のＵＥの位置、又は、前記ネットワークエンティティの位置、又は、その両方、に基づいて、前記第１の周波数帯域内で且つＰ２Ｐ通信用に利用可能な複数周波数チャンネルのセットを決定すること、及び、
Ｐ２Ｐ通信用に利用可能な複数周波数チャンネルの前記セットに基づいて、Ｐ２Ｐ通信用に前記第１のＵＥに割り当てるために、少なくとも一つの周波数チャンネルを選択すること、
を更に備える、（４２）の方法。
（５３）  複数周波数チャンネルの前記セットを前記決定することは、前記第１の周波数帯域内で且つ異なる複数位置での免許不要使用のために利用可能な複数周波数チャンネルのデータベースに基づいて、複数周波数チャンネルの前記セットを決定することを備える、（５２）の方法。
（５４）  前記ネットワークエンティティのカバレッジ下で複数Ｐ２Ｐリンクのリストを維持することであって、各Ｐ２Ｐリンクはピアツーピア通信する複数ＵＥのグループに対応する、維持すること、
複数Ｐ２Ｐリンクの前記リストに使用された前記第１の周波数帯域内の複数周波数チャンネルのリストを維持すること、及び、
複数Ｐ２Ｐリンクの前記リストに使用された複数周波数チャンネル及び前記第１の周波数帯域内で利用可能な複数周波数チャンネルの前記リストに基づいて、Ｐ２Ｐ通信用に前記第１のＵＥに割り当てるために、前記第１の周波数帯域内の少なくとも一つの周波数チャンネルを選択すること、
を更に備える、（４２）の方法。
（５５）  前記第１の周波数帯域内で且つＰ２Ｐ通信用に利用可能な複数周波数チャンネルのリストを維持すること、及び、
前記ネットワークエンティティのカバレッジ下で且つピアツーピア通信する複数ＵＥからの複数干渉推定に基づいて、周波数チャンネルの前記リストを更新すること、
を更に備える、（４２）の方法。
（５６）  前記少なくとも一つの他のＵＥとのＰ２Ｐ通信用に前記第１のＵＥに、前記ＷＡＮが認可されている第２の周波数帯域内の複数リソースを割り当てること、
を更に備える、（４２）の方法。
（５７）  前記第２の周波数帯域内の前記割り当てられた複数リソースでのＰ２Ｐ通信は、前記第１の周波数帯域でのＰ２Ｐ通信よりも、信頼性は高いが、容量は小さい、（５６）の方法。
（５８）  前記第１のＵＥからＰ２Ｐ通信障害の指示を受信すること、及び、
Ｐ２Ｐ通信障害の前記指示に応答して、前記ＷＡＮを介して前記第１のＵＥ用に通信を確立すること、
を更に備える、（４２）の方法。
（５９）  前記第１のＵＥからＰ２Ｐ通信障害の指示を受信すること、及び、
Ｐ２Ｐ通信を終了するために、又は、前記ＷＡＮを介した通信にＰ２Ｐ通信から切り替えるために、又は、前記第１のＵＥへの第２の周波数帯域でのＰ２Ｐ通信を継続するために、指示を送信することであって、前記ＷＡＮは、前記第２の周波数帯域で認可されている、指示を送信すること、
を更に備える、（４２）の方法。
（６０）  前記第１の周波数帯域内で且つＰ２Ｐ通信用に割り当てられていない一つ又は複数の周波数チャンネルを決定すること、及び、
前記第１の周波数帯域の免許不要ユーザによる前記一つ又は複数の周波数チャンネルの使用を阻止するために、前記一つ又は複数の周波数チャンネルでの一つ又は複数の信号を送信すること、
を更に備える、（４２）の方法。
（６１）  無線通信のための装置であって、
ワイドエリアネットワーク（ＷＡＮ）内のネットワークエンティティによって、前記ＷＡＮに対し認可されていない第１の周波数帯域で第１のユーザ機器（ＵＥ）と少なくとも一つの他のＵＥとの間のピアツーピア（Ｐ２Ｐ）通信を確立するために、前記第１のＵＥと通信するための手段、及び、
前記ネットワークエンティティによって、前記第１のＵＥと前記少なくとも一つの他のＵＥとの間のＰ２Ｐ通信を維持するために、前記第１のＵＥと通信するための手段、
を備える、無線通信のための装置。
（６２）  前記Ｐ２Ｐ通信を確立するために前記第１のＵＥと通信するための前記手段は、
前記第１のＵＥからのＰ２Ｐ通信の要求を受信するための手段、及び、
前記第１のＵＥによるＰ２Ｐ通信用に使用のために利用可能である前記少なくとも一つの周波数チャンネルを、前記第１のＵＥへ、前記第１の周波数帯域内の少なくとも一つの周波数チャンネルで送信するための手段、
を備える、（６１）の装置。
（６３）  前記第１の周波数帯域内で且つ前記第１の周波数帯域の認可ユーザによって使用されていない複数周波数チャンネルの中からＰ２Ｐ通信用に前記第１のＵＥに割り当てるために、少なくとも一つの周波数チャンネルを選択するための手段、
を更に備える、（６１）の装置。
（６４）  前記第１のＵＥから前記第１の周波数帯域内の一つ又は複数の周波数チャンネルのための複数センシング結果を受信するための手段、及び、
前記第１のＵＥからの前記複数センシング結果に基づいて、Ｐ２Ｐ通信用に前記第１のＵＥに割り当てるために、前記第１の周波数帯域内の少なくとも一つの周波数チャンネルを選択するための手段、
を更に備える、（６１）の装置。
（６５）  Ｐ２Ｐ通信を確立するために前記第１のＵＥと通信するための前記手段は、
前記第１の周波数帯域内で且つ前記第１のＵＥによるＰ２Ｐ通信用に利用可能な複数周波数チャンネルのリストを送信するための手段を備え、及び、前記第１のＵＥは、前記リスト内の第１の周波数チャンネルで前記少なくとも一つの他のＵＥとピアツーピア通信を行う、（６１）の装置。
（６６）  前記第１のＵＥの位置、又は、前記ネットワークエンティティの位置、又は、その両方、に基づいて、前記第１の周波数帯域内で且つＰ２Ｐ通信用に利用可能な複数周波数チャンネルのセットを決定するための手段、及び、
Ｐ２Ｐ通信用に利用可能な複数周波数チャンネルの前記セットに基づいて、Ｐ２Ｐ通信用に前記第１のＵＥに割り当てるために、少なくとも一つの周波数チャンネルを選択するための手段、
を更に備える、（６１）の装置。
（６７）  無線通信のための装置であって、
ワイドエリアネットワーク（ＷＡＮ）内のネットワークエンティティによって、前記ＷＡＮに対し認可されていない第１の周波数帯域で第１のユーザ機器（ＵＥ）と少なくとも一つの他のＵＥとの間のピアツーピア（Ｐ２Ｐ）通信を確立するために、前記第１のＵＥと通信し、且つ、前記ネットワークエンティティによって、前記第１のＵＥと前記少なくとも一つの他のＵＥとの間のＰ２Ｐ通信を維持するために、前記第１のＵＥと通信する、ように構成された少なくとも一つのプロセッサ、
を備える、無線通信のための装置。
（６８）  前記少なくとも一つのプロセッサは、前記第１のＵＥからのＰ２Ｐ通信の要求を受信し、且つ、前記第１のＵＥによるＰ２Ｐ通信用に使用のために利用可能である前記少なくとも一つの周波数チャンネルを、前記第１のＵＥへ、前記第１の周波数帯域内の少なくとも一つの周波数チャンネルで送信する、ように構成される、（６７）の装置。
（６９）  前記少なくとも一つのプロセッサは、前記第１の周波数帯域内で且つ前記第１の周波数帯域の認可ユーザによって使用されていない複数周波数チャンネルの中からＰ２Ｐ通信用に前記第１のＵＥに割り当てるために、少なくとも一つの周波数チャンネルを選択するように構成される、（６７）の装置。
（７０）  前記少なくとも一つのプロセッサは、前記第１のＵＥから前記第１の周波数帯域内の一つ又は複数の周波数チャンネルのための複数センシング結果を受信し、且つ、前記第１のＵＥからの前記複数センシング結果に基づいて、Ｐ２Ｐ通信用に前記第１のＵＥに割り当てるために、前記第１の周波数帯域内の少なくとも一つの周波数チャンネルを選択する、ように構成される、（６７）の装置。
（７１）  前記少なくとも一つのプロセッサは、前記第１の周波数帯域内で且つ前記第１のＵＥによるＰ２Ｐ通信用に利用可能な複数周波数チャンネルのリストを送信するための手段を備え、及び、前記第１のＵＥは、前記リスト内の第１の周波数チャンネルで前記少なくとも一つの他のＵＥとピアツーピア通信を行うように構成される、（６７）の装置。
（７２）  前記少なくとも一つのプロセッサは、前記第１のＵＥの位置、又は、前記ネットワークエンティティの位置、又は、その両方、に基づいて、前記第１の周波数帯域内で且つＰ２Ｐ通信用に利用可能な複数周波数チャンネルのセットを決定し、且つ、Ｐ２Ｐ通信用に利用可能な複数周波数チャンネルの前記セットに基づいて、Ｐ２Ｐ通信用に前記第１のＵＥに割り当てるために、少なくとも一つの周波数チャンネルを選択する、ように構成される、（６７）の装置。
（７３）  コンピュータプログラム製品であって、
少なくとも一つのプロセッサに、ワイドエリアネットワーク（ＷＡＮ）内のネットワークエンティティによって、前記ＷＡＮに対し認可されていない周波数帯域で第１のユーザ機器（ＵＥ）と少なくとも一つの他のＵＥとの間のピアツーピア（Ｐ２Ｐ）通信を確立するために、前記第１のＵＥと通信させるためのコード、及び、
前記少なくとも一つのプロセッサに、前記ネットワークエンティティによって、前記第１のＵＥと前記少なくとも一つの他のＵＥとの間のＰ２Ｐ通信を維持するために、前記第１のＵＥと通信させるためのコード、
を備える、非一時的なコンピュータ可読媒体、
を備える、コンピュータプログラム製品。
【手続補正２】
【補正対象書類名】特許請求の範囲
【補正対象項目名】全文
【補正方法】変更
【補正の内容】
【特許請求の範囲】
【請求項１】
無線通信のための方法であって、
第１のユーザ機器（ＵＥ）によって、ワイドエリアネットワーク（ＷＡＮ）に対し認可されていない周波数帯域内の少なくとも一つの周波数チャンネルで、少なくとも一つの他のＵＥとピアツーピア（Ｐ２Ｐ）通信すること、
前記周波数帯域の少なくとも一つの認可ユーザによる前記少なくとも一つの周波数チャンネルの使用を検出するために、前記第１のＵＥによって、前記少なくとも一つの周波数チャンネルを監視すること、
前記少なくとも一つの認可ユーザによる前記少なくとも一つの周波数チャンネルの使用が検出されたとき、または、パフォーマンスの低下が前記少なくとも一つの周波数チャンネルで検出されたとき、前記周波数帯域内の少なくとも一つの他の周波数チャンネルへの前記少なくとも一つの周波数チャンネルからのハンドオーバを行うこと、及び、
前記少なくとも一つの認可ユーザによる前記少なくとも一つの周波数チャンネルの使用が検出されたとき、前記第１のＵＥによる前記少なくとも一つの周波数チャンネルでのＰ２Ｐ通信を終了すること、
を備える、無線通信のための方法。
【請求項２】
前記一つ又は複数の周波数チャンネルの使用を検出するために、前記第１のＵＥによって、前記周波数帯域内の一つ又は複数の周波数チャンネルをセンシングすること、及び、
前記ＷＡＮへ前記第１のＵＥから複数センシング結果を送信すること、
を更に備え、
前記少なくとも一つの周波数チャンネルは、前記第１のＵＥからの前記複数センシング結果に基づいて選択される、
請求項１の方法。
【請求項３】
前記少なくとも一つの周波数チャンネルを前記監視することは、前記少なくとも一つの認可ユーザによる前記少なくとも一つの周波数チャンネルの使用を検出するために、前記周波数帯域の前記少なくとも一つの認可ユーザによって送信された少なくとも一つの信号の少なくとも一つの特性をセンシングすることを備える、請求項１の方法。
【請求項４】
前記少なくとも一つの周波数チャンネルを前記監視することは、Ｐ２Ｐ通信が係属中の間、特定の期間の各時間間隔で前記第１のＵＥによって、定期的に前記少なくとも一つの周波数チャンネルをセンシングすることを備える、請求項１の方法。
【請求項５】
前記少なくとも一つの認可ユーザによる前記少なくとも一つの周波数チャンネルの使用が検出されたとき、または、パフォーマンスの低下が前記少なくとも一つの周波数チャンネルで検出されたとき、前記ＷＡＮを介した通信に前記Ｐ２Ｐ通信から切り替えること、
を更に備える、請求項１の方法。
【請求項６】
無線通信のための装置であって、
第１のユーザ機器（ＵＥ）によって、ワイドエリアネットワーク（ＷＡＮ）に対し認可されていない周波数帯域内の少なくとも一つの周波数チャンネルで、少なくとも一つの他のＵＥとピアツーピア（Ｐ２Ｐ）通信するための手段、
前記周波数帯域の少なくとも一つの認可ユーザによる前記少なくとも一つの周波数チャンネルの使用を検出するために、前記第１のＵＥによって、前記少なくとも一つの周波数チャンネルを監視するための手段、
前記少なくとも一つの認可ユーザによる前記少なくとも一つの周波数チャンネルの使用が検出されたとき、または、パフォーマンスの低下が前記少なくとも一つの周波数チャンネルで検出されたとき、前記周波数帯域内の少なくとも一つの他の周波数チャンネルへの前記少なくとも一つの周波数チャンネルからのハンドオーバを行うための手段、及び、
前記少なくとも一つの認可ユーザによる前記少なくとも一つの周波数チャンネルの使用が検出されたとき、前記第１のＵＥによる前記少なくとも一つの周波数チャンネルでのＰ２Ｐ通信を終了するための手段、
を備える、無線通信のための装置。
【請求項７】
前記一つ又は複数の周波数チャンネルの使用を検出するために、前記第１のＵＥによって、前記周波数帯域内の一つ又は複数の周波数チャンネルをセンシングするための手段、及び、
前記ＷＡＮへ前記第１のＵＥから複数センシング結果を送信するための手段、
を更に備え、
前記少なくとも一つの周波数チャンネルは、前記第１のＵＥからの前記複数センシング結果に基づいて選択される、
請求項６の装置。
【請求項８】
前記少なくとも一つの認可ユーザによる前記少なくとも一つの周波数チャンネルの使用が検出されたとき、または、パフォーマンスの低下が前記少なくとも一つの周波数チャンネルで検出されたとき、前記ＷＡＮを介した通信に前記Ｐ２Ｐ通信から切り替えるための手段、
を更に備える、請求項６の装置。
【請求項９】
無線通信のための装置であって、
第１のユーザ機器（ＵＥ）によって、ワイドエリアネットワーク（ＷＡＮ）に対し認可されていない周波数帯域内の少なくとも一つの周波数チャンネルで、少なくとも一つの他のＵＥとピアツーピア（Ｐ２Ｐ）通信し、
前記周波数帯域の少なくとも一つの認可ユーザによる前記少なくとも一つの周波数チャンネルの使用を検出するために、前記第１のＵＥによって、前記少なくとも一つの周波数チャンネルを監視し、
前記少なくとも一つの認可ユーザによる前記少なくとも一つの周波数チャンネルの使用が検出されたとき、または、パフォーマンスの低下が前記少なくとも一つの周波数チャンネルで検出されたとき、前記周波数帯域内の少なくとも一つの他の周波数チャンネルへの前記少なくとも一つの周波数チャンネルからのハンドオーバを行い、且つ、
前記少なくとも一つの認可ユーザによる前記少なくとも一つの周波数チャンネルの使用が検出されたとき、前記第１のＵＥによる前記少なくとも一つの周波数チャンネルでのＰ２Ｐ通信を終了する、
ように構成された、少なくとも一つのプロセッサ、
を備える、無線通信のための装置。
【請求項１０】
前記少なくとも一つのプロセッサは、前記一つ又は複数の周波数チャンネルの使用を検出するために、前記第１のＵＥによって、前記周波数帯域内の一つ又は複数の周波数チャンネルをセンシングし、且つ、前記ＷＡＮへ前記第１のＵＥから複数センシング結果を送信するように構成され、及び、前記少なくとも一つの周波数チャンネルは、前記第１のＵＥからの前記複数センシング結果に基づいて選択される、請求項９の装置。
【請求項１１】
前記少なくとも一つのプロセッサは、前記少なくとも一つの認可ユーザによる前記少なくとも一つの周波数チャンネルの使用が検出されたとき、または、パフォーマンスの低下が前記少なくとも一つの周波数チャンネルで検出されたとき、前記ＷＡＮを介した通信に前記Ｐ２Ｐ通信から切り替えるように構成される、請求項９の装置。
【請求項１２】
コンピュータプログラム製品であって、
少なくとも一つのコンピュータに、第１のユーザ機器（ＵＥ）によって、ワイドエリアネットワーク（ＷＡＮ）に対し認可されていない周波数帯域内の少なくとも一つの周波数チャンネルで、少なくとも一つの他のＵＥとピアツーピア（Ｐ２Ｐ）通信させるためのコード、
前記少なくとも一つのプロセッサに、前記周波数帯域の少なくとも一つの認可ユーザによる前記少なくとも一つの周波数チャンネルの使用を検出するために、前記第１のＵＥによって、前記少なくとも一つの周波数チャンネルを監視させるためのコード、
前記少なくとも一つのプロセッサに、前記少なくとも一つの認可ユーザによる前記少なくとも一つの周波数チャンネルの使用が検出されたとき、または、パフォーマンスの低下が前記少なくとも一つの周波数チャンネルで検出されたとき、前記周波数帯域内の少なくとも一つの他の周波数チャンネルへの前記少なくとも一つの周波数チャンネルからのハンドオーバを行わせるためのコード、及び、
前記少なくとも一つのプロセッサに、前記少なくとも一つの認可ユーザによる前記少なくとも一つの周波数チャンネルの使用が検出されたとき、前記第１のＵＥによる前記少なくとも一つの周波数チャンネルでのＰ２Ｐ通信を終了させるためのコード、
を備える、非一時的なコンピュータ可読媒体、
を備える、コンピュータプログラム製品。
【国際調査報告】
2013523018.tif 000014
2013523018.tif 000015
2013523018.tif 000016